(57)【要約】【課題】液体収納容器に収納されたインクなどの液体を効率的に攪拌して、容器内の液体の濃度傾斜を少なくすることができる液体収納容器、ヘッドカートリッジ、インクジェット記録装置、および液体収納容器の攪拌方法を提供すること。【解決手段】記録装置のキャリッジの移動に伴って、インク収納室内（８０）に備えた揺動部材（１００）を揺動させる。それにより、その揺動部材（１００）の中空部（１０４）内に、開口部（１０２），（１０３）の一方から他方に向かってインクの流れを生じさせて、インクタンク内のインクを撹拌する。【選択図】図８
2007326360.tif 000002
【特許請求の範囲】
【請求項１】
液体収納部と、前記液体収納部に収納された液体を撹拌するための撹拌部材と、前記撹拌部材を支持する支持部と、を備えた液体収納容器において、
前記撹拌部材は、前記支持部によって支持される被支持部と、液体流路を形成する中空部と、を備えることを特徴とする液体収納容器。
【請求項２】
前記撹拌部材の前記被支持部は、前記支持部によって移動可能に支持されることを特徴とする請求項１に記載の液体収納容器。
【請求項３】
前記撹拌部材は、前記液体収納容器の移動に伴う慣性力によって移動することを特徴とする請求項２に記載の液体収納容器。
【請求項４】
前記撹拌部材は、少なくとも前記被支持部を支点とする揺動を伴って移動することを特徴とする請求項２または３に記載の液体収納容器。
【請求項５】
前記撹拌部材の前記中空部は、一端側に位置して前記液体を導入する第１開口部と、他端側に位置して前記液体を導出する第２開口部と、前記第１開口部と前記第２開口部とを連通する液体流路と、を形成することを特徴とする請求項１から４のいずれかに記載の液体収納容器。
【請求項６】
前記撹拌部材は、前記第１開口部と前記第２開口部の移動速度が異なるように移動することを特徴とする請求項５に記載の液体収納容器。
【請求項７】
前記撹拌部材の比重は、前記液体収納部内の前記液体の比重よりも大きいことを特徴とする請求項１から６のいずれかに記載の液体収納容器。
【請求項８】
前記撹拌部材の前記第１開口部と前記第２開口部は、一方が鉛直方向の上側に位置し、他方が鉛直方向の下側に位置することを特徴とする請求項５から７のいずれかに記載の液体収納容器。
【請求項９】
前記撹拌部材の前記第１開口部と前記第２開口部の少なくとも一方は、鉛直方向に対して斜めに開口することを特徴とする請求項８に記載の液体収納容器。
【請求項１０】
前記撹拌部材の前記中空部の内壁は親水化処理が施されていることを特徴とする請求項１から９いずれかに記載の液体収納容器。
【請求項１１】
前記撹拌部材の前記中空部は屈曲していることを特徴とする請求項１から１０のいずれかに記載の液体収納容器。
【請求項１２】
前記撹拌部材の前記中空部は、前記第１および第２開口部以外の部位において前記液体収納部内に連通することを特徴とする請求項５から１１のいずれかに記載の液体収納容器。
【請求項１３】
前記撹拌部材の前記中空部は、前記第１開口部と前記第２開口部とを連通する連続した部位にて、前記液体収納部内に連通することを特徴とする請求項１２に記載の液体収納容器。
【請求項１４】
前記液体収納部は、外部からの液体を前記撹拌部材に向けて導入可能な液体導入口を備えることを特徴とする請求項１から１３のいずれかに記載の液体収納容器。
【請求項１５】
前記撹拌部材の前記被支持部は、前記撹拌部材の鉛直方向中央部より上側に位置し、
前記撹拌部材は、前記被支持部を支点として揺動することを特徴とする請求項１から１４のいずれかに記載の液体収納容器。
【請求項１６】
前記撹拌部材の前記被支持部は、前記撹拌部材の鉛直方向中央部より下側に位置し、
前記撹拌部材は、前記被支持部を支点として揺動することを特徴とする請求項１から１４のいずれかに記載の液体収納容器。
【請求項１７】
前記支持部は、鉛直方向と交差する方向に延在して、前記撹拌部材の前記被支持部を揺動自在に支持することを特徴とする請求項１５または１６に記載の液体収納容器。
【請求項１８】
前記液体収納容器は、前記液体としてインクを収納するインクタンクを構成することを特徴とする請求項１から１７のいずれかに記載の液体収納容器。
【請求項１９】
前記インクは顔料成分を含むことを特徴とする請求項１８に記載の液体収納容器。
【請求項２０】
前記液体収納容器は、内部に負圧発生手段を備えることを特徴とする請求項１から１９のいずれかに記載の液体収納容器。
【請求項２１】
前記負圧発生手段は、多孔質または繊維部材である吸収体を含むことを特徴とする請求項２０に記載の液体収納容器。
【請求項２２】
前記負圧発生手段は、前記液体収納部の容積を変形させる可撓性部材と、前記可撓性部材を前記液体収納部の容積が増す方向に付勢するばね部材と、を含むことを特徴とする請求項２０に記載の液体収納容器。
【請求項２３】
液体収納部と、前記液体収納部に収納された液体を撹拌するための撹拌部材と、前記撹拌部材を支持する支持部と、を備えた液体収納容器と、
前記液体を用いて記録するための記録ヘッドと、
を備えたヘッドカートリッジであって、
前記撹拌部材は、前記支持部によって支持される被支持部と、液体を導入する第１開口部と、液体を導出する第２開口部と、前記第１開口部と第２開口部とを連通する液体流路を形成する中空部と、を備える
ことを特徴とするヘッドカートリッジ。
【請求項２４】
インクを収納可能なインクタンクと、前記インクタンク内のインクを吐出可能なインクジェット記録ヘッドと、を搭載可能なキャリッジを備えたインクジェット記録装置において、
前記インクタンクは、インク収納部と、前記インク収納部に収納されたインクを撹拌するための撹拌部材と、前記撹拌部材を支持する支持部と、を備え、
前記撹拌部材は、前記支持部によって支持される被支持部と、インクを導入する第１開口部と、インクを導出する第２開口部と、前記第１開口部と前記第２開口部とを連通するインク流路を形成する中空部と、を備えており、前記キャリッジの往復移動に伴って前記インクタンクの前記撹拌部材が動かされる
ことを特徴とするインクジェット記録装置。
【請求項２５】
液体収納部と、前記液体収納部に収納された液体を撹拌するための撹拌部材と、前記撹拌部材を支持する支持部と、を備えた液体収納容器の撹拌方法であって、
前記撹拌部材は、前記支持部によって支持される被支持部と、前記液体を導入するための第１開口部と、該液体を導出するための第２開口部と、前記第１開口部と第２開口部とを連通する液体流路を形成する中空部と、を備え
前記第１開口部から前記液体を導入し、前記第２開口部から該液体を導出するように、前記撹拌部材を、前記被支持部を支点として揺動させる
ことを特徴とする液体収納容器の撹拌方法。
【請求項２６】
前記第１開口部が前記液体収納容器の重力方向下方に位置し、かつ前記第２開口部が重力方向上方に位置し、
前記撹拌部材の揺動によって、前記液体収納部に収納された液体を、前記中空部を経由して重力方向の下方から上方に向かって案内して撹拌する
ことを特徴とする請求項２５に記載の液体収納容器の攪拌方法。
【請求項２７】
前記第１開口部が前記液体収納容器の重力方向上方に位置し、かつ前記第２開口部が重力方向下方に位置し、
前記撹拌部材の揺動によって、前記液体収納部に収納された液体を、前記中空部を経由して重力方向の上方から下方に向かって案内して撹拌する
ことを特徴とする請求項２５に記載の液体収納容器の攪拌方法。
【発明の詳細な説明】
【技術分野】
【０００１】
本発明は、インクなどの液体を収納する液体収納容器、その液体収納容器を備えるヘッドカートリッジ、その液体収納容器を用いて画像を記録可能なインクジェット記録装置、およびその液体収納容器内の液体の攪拌方法に関する。
【背景技術】
【０００２】
シリアルタイプのインクジェット記録装置は、主走査方向に移動可能なキャリッジに、インクを吐出可能な記録ヘッドと、その記録ヘッドに供給するインクを収容するためのインクタンクと、が搭載される。画像の記録に際しては、キャリッジを主走査方向に移動させつつ、記録ヘッドの吐出口から記録媒体に向かってインクを吐出する動作と、主走査方向と交差する副走査方向に記録媒体を搬送する動作と、を繰り返す。記録ヘッドから吐出されたインク滴が記録媒体上に着弾することにより、所望の画像が記録される。
【０００３】
このようなインクジェット記録装置において用いられているインクの主流は、色材として染料を含有するインクであった。しかし一般に、染料インクは耐光性および耐ガス性がやや低く、その染料インクによる記録物は、屋外掲示のような特殊用途において耐久性のある画像堅牢性を提供しにくい場合があった。
【０００４】
近年、色材として顔料を含有するインクを用いる記録装置が提供されてきている。顔料インクは耐光性および耐ガス性に優れ、それによる記録物も充分な画像堅牢性を発揮することができる。但し、顔料インクは、染料インクとは異なり、色材の分散性を考慮した取り扱いが要求される。均一な記録画像を得るためには、色材を溶媒中に分散させる必要がある。
【０００５】
顔料インク中の顔料分子は、染料インク中の染料分子のようにインク溶液中には溶解せず、分散した状態で浮遊している。顔料インクを収容するインクタンクが暫く静置されたままであると、インクタンク内の顔料粒子が重力によって徐々に沈降し、インクタンクの高さ方向において顔料粒子の濃度傾斜が発生することがあった。すなわち、インクタンクの底部には色材濃度の高い層が位置し、その上部には色材濃度の低い層が位置することになる。この状態のインクタンクから記録ヘッドにインクを供給して画像の記録動作を開始し、そして記録動作を継続した場合には、記録動作の初期段階と後期段階において、画像に濃度差が発生するおそれがある。
【０００６】
具体的に説明するために、インクタンクの底部から記録ヘッドにインクを供給する構成のインクジェット記録装置を考える。この記録装置に、上述した顔料粒子の濃度傾斜を有するインクタンクを装着して記録を開始した場合、記録初期では、インクタンク内の下層の色材濃度の高いインクが供給されるため、必要以上に高濃度な画像が記録される。その後、記録動作を続行することにより、インクタンク内のインクの消費にしたがって、画像の記録濃度は徐々に低下する。そして、インクタンク内のインクが少量になった状態においては、インクタンク内には、当初の色材濃度よりも低い色材濃度のインクしか残存しなくなる。そのため、記録当初と同じ画像データに基づいて画像を記録した場合でも、記録濃度が薄いものとなる。特に、顔料粒子の径や比重が大きい場合、顔料粒子の沈降傾向が著しいため、インクタンクの非使用状態が数日間続くだけでも、画像に影響が現れるほどの濃度傾斜が発生するおそれがある。
【０００７】
このように、インクタンクの使用に伴って、記録ヘッドから吐出されるインクの色材濃度が変化した場合、インクタンクの使用初期と使用後期において記録画像に濃度差を発生させるだけではない。例えば、複数のカラーインクを用い、所定のカラーバランスのもとに色相を表現するカラーインクジェット記録システムにでは、カラーバランスが崩れるおそれがある。この場合、より顕著な画像濃度差問題として認識されることになる。
【０００８】
インクタンク内に残存するインク量の如何に拘わらず、記録ヘッドから吐出されるインク滴の色材濃度を、一定の濃度範囲内に維持するためには、少なくとも記録動作中に、インクタンク内の顔料分子が一様に分散していることが望まれる。
【０００９】
このような顔料分子の一様な分散を実現するために、インクタンクの内部に、顔料分子を攪拌するための攪拌体を設ける構成が提案されている
【００１０】
特許文献１には、手動操作が可能な攪拌体を備えたインクパックが開示されている。この攪拌体は、インクパックに対して、外部から挿入される形状になっている。外部に突出している攪拌体の一部は、インクパック内に延在している攪拌体の攪拌部を動作させるための操作部として作用する。つまり、ユーザが定期的あるいは必要に応じて攪拌部を揺動させることにより、インクパック内のインクを攪拌して、顔料分子を分散できるようになっている。
【００１１】
また、特許文献１には、記録動作時にキャリッジが移動する際の慣性力を利用して、タンク内のインクを攪拌させる揺動部材を設けたインクカートリッジが開示されている。一例として、インクカートリッジケースと一体に成形された撹拌体が示されている。この例では、攪拌体がインクカートリッジケースの天井から底部に向けて垂れ下がるように延出し、その下端部に円柱状の錘部が形成されている。その攪拌体は、キャリッジの加速・停止・反転の動作に伴う慣性力によって、天井の付け根部分を支点としてキャリッジの移動方向に揺動し、インクカートリッジ内のインクを攪拌する。
【００１２】
また、特許文献１には、他の例として、インクカートリッジケースに固定されずに、インクカートリッジ内の底面を自由に移動可能な撹拌体も開示されている。この攪拌体は、キャリッジの加速・停止・反転の動作に伴う慣性力によって、インクカートリッジ内の底面を移動してインクを攪拌する。
【００１３】
また、特許文献２には、キャリッジの移動に伴う慣性力によって、揺動中心軸の左右に揺動する軸状錘と、この軸状錘と一体になって左右に揺動する複数のフィンと、を備えた攪拌機構が開示されている。この構成によれば、複数枚のフィンがインクカートリッジの高さ方向に並列に配置されているため、インクカートリッジ内の上層部から下層部にかけてインクが均等に攪拌される。
【００１４】
【特許文献１】特開２００５―０６６５２０号公報
【特許文献２】特開２００４―２１６７６１号公報
【発明の開示】
【発明が解決しようとする課題】
【００１５】
しかしながら、上記特許文献に記載の構成においては、攪拌領域が限定されているため、沈降した顔料粒子を容器内部の全体に渡って攪拌するには、十分ではなく、効率が悪いものであった。
【００１６】
例えば、特許文献１に記載された、手動式の揺動部材を備えた構成では、その揺動部材の動きの自由度が少ないことから、インクカートリッジ内の限られた領域のインクしか攪拌することができない。特に、攪拌部の支点となる攪拌体とインクカートリッジとの接合部分の近傍では、攪拌部の移動域が狭いために充分な攪拌効果が得られない。
【００１７】
また、特許文献１に開示された、円柱状の錘部を設けた構成では、慣性力を効率的に利用してはいるものの、やはり攪拌可能な範囲が充分でない。さらに、インクカートリッジ内の底面を自由に移動可能な撹拌体を用いた場合には、インクカートリッジの底部近傍のインクに対する攪拌は期待できるものの、その撹拌体から離れているカートリッジ上層部領域に対する撹拌性は期待できない。
【００１８】
一方、特許文献２に開示された構成では、複数のフィンがインクカートリッジの高さ方向に配備されているため、高さ方向における攪拌の均等性はある程度期待できる。しかし、インクカートリッジ内の中心軸付近はフィンの揺動量が小さいため、撹拌効果は小さい。また、このように複数のフィンや回転軸を備える揺動部材は複雑な構成となるため、インクカートリッジ自体も高価なものになってしまう。
【００１９】
上述したように、インクカートリッジ内における顔料インクは、顔料粒子が重力にしたがって徐々に沈降することにより、インクカートリッジの高さ方向に顔料粒子の濃度傾斜が生じる。インクカートリッジ内の濃度差を解消するには、インクカートリッジの下層に沈降する高濃度のインクを積極的に上層部に巻き上げるか、もしくは上層部の低濃度のインクを下層部に流し込むように、インクを攪拌することが効率的である。
【００２０】
本発明は、このような問題に鑑みてなされたものである。
【００２１】
本発明は、液体収納容器に収納されたインクなどの液体を効率的に攪拌して、容器内の液体の濃度傾斜を少なくすることができる液体収納容器、ヘッドカートリッジ、インクジェット記録装置、および液体収納容器の攪拌方法を提供する。
【課題を解決するための手段】
【００２２】
本発明の液体収納容器は、液体収納部と、前記液体収納部に収納された液体を撹拌するための撹拌部材と、前記撹拌部材を支持する支持部と、を備えた液体収納容器において、
前記撹拌部材は、前記支持部によって支持される被支持部と、液体流路を形成する中空部と、を備えることを特徴とする。
【００２３】
本発明のヘッドカートリッジは、
液体収納部と、前記液体収納部に収納された液体を撹拌するための撹拌部材と、前記撹拌部材を支持する支持部と、を備えた液体収納容器と、
前記液体を用いて記録するための記録ヘッドと、
を備えたヘッドカートリッジであって、
前記撹拌部材は、前記支持部によって支持される被支持部と、液体を導入する第１開口部と、液体を導出する第２開口部と、前記第１開口部と第２開口部とを連通する液体流路を形成する中空部と、を備えることを特徴とする。
【００２４】
本発明のインクジェット記録装置は、インクを収納可能なインクタンクと、前記インクタンク内のインクを吐出可能なインクジェット記録ヘッドと、を搭載可能なキャリッジを備えたインクジェット記録装置において、
前記インクタンクは、インク収納部と、前記インク収納部に収納された液体を撹拌するための撹拌部材と、前記撹拌部材を支持する支持部と、を備え、
前記撹拌部材は、前記支持部によって支持される被支持部と、インクを導入する第１開口部と、インクを導出する第２開口部と、前記第１開口部と前記第２開口部とを連通するインク流路を形成する中空部と、を備えており、
前記キャリッジの往復走査に伴って前記インクタンクの前記撹拌部材が動かされることを特徴とする。
【００２５】
本発明の液体収納容器の攪拌方法は、液体収納部と、前記液体収納部に収納された液体を撹拌するための撹拌部材と、前記撹拌部材を支持する支持部と、を備えた液体収納容器の撹拌方法であって、
前記撹拌部材は、前記支持部によって支持される被支持部と、前記液体を導入するための第１開口部と、該液体を導出するための第２開口部と、前記第１開口部と第２開口部とを連通する液体流路を形成する中空部と、を備え
前記第１開口部から前記液体を導入し、前記第２開口部から該液体を導出するように、前記撹拌部材を、前記被支持部を支点として揺動させることを特徴とする。
【発明の効果】
【００２６】
本発明によれば、液体収納容器内の液体を攪拌するための効果的な液体の流れを、容器内に積極的に生じさせることができる。容器内に発生させた液体の流れによって、例えば、インク収納室の下層部に沈降しがちな顔料粒子を容易かつ確実に上層部にまで持ち上げることができる。また、インク収納室の上層部にある顔料濃度が低い液体を下層部に向かって流すこともできる。
【００２７】
この結果、液体収納容器内に収納されたインクなどの液体の全域を効率的に攪拌して、その液体の濃度傾斜を少なくすることができる。さらに、長期間放置した後においても濃度傾斜の少ない液体収納容器、ヘッドカートリッジを提供することができる。また、本発明のインクジェット記録装置は、画像の記録動作前におけるインクの攪拌時間を短縮することもできる。
【発明を実施するための最良の形態】
【００２８】
以下、本発明の実施の形態について図面を参照して説明する。
【００２９】
（第１の実施形態）
本実施形態における液体収納容器は、いわゆるシリアルスキャンタイプのインクジェット記録装置に搭載可能なインクタンクとしての適用例である。
【００３０】
図１は、本例におけるインクジェット記録装置の外観斜視図である。この記録装置は、記録媒体に対しての記録を行なう装置本体Ｍ１０００と、記録媒体を装置内へ供給するための給紙部Ｍ３０２２と、記録後の記録媒体を受容する排紙トレイＭ１００４と、から主に構成されている。
【００３１】
図２は、装置本体Ｍ１０００の内部機構を説明するための斜視図である。装置本体Ｍ１０００の主な内部機構は、シャーシＭ３０１９に設置・保護されている。Ｍ４００１はキャリッジであり、不図示の記録ヘッドカートリッジを搭載した状態で矢印Ｘの主走査方向へ往復移動可能である。記録ヘッドカートリッジには、後述するようにインクジェット記録ヘッドが備えられている。記録動作コマンドが入力されると、給紙部Ｍ３０２２に積載されている記録媒体の１枚が給紙され、キャリッジＭ４００１上の記録ヘッドによって画像が記録可能な位置まで搬送される。その後、キャリッジＭ４００１が主走査方向に移動しながら、記録ヘッドカートリッジの記録ヘッドが画像データに基づいてインクを吐出する記録走査と、搬送手段によって記録媒体を矢印Ｙの副走査方向へ搬送する動作と、を繰り返す。これにより、記録媒体上に順次画像が形成される。
【００３２】
図３は、記録ヘッドカートリッジＨ１００１とインクを収納可能なインクタンク（液体収納容器）１の斜視図である。記録ヘッドカートリッジＨ１００１の一側には、吐出口からインク滴を吐出可能なインクジェット記録ヘッドＨ１０００が備えられ、その反対側には、記録ヘッドＨ１０００にインクを供給するためのインクタンク１が着脱可能に装着される。本例の記録ヘッドカートリッジＨ１００１には、６色分のインクタンク１が独立に装着できるようになっている。
【００３３】
インクタンク１を記録ヘッドカートリッジ（インクタンク装着部）Ｈ１００１に装着すると、インクタンク１のインク供給口３０（図４参照）が記録ヘッドＨ１０００に接続される。インクタンク１のインク収納部（液体収納部）内のインクは、インク供給口３０を経由して、重力方向下向きに、記録ヘッドＨ１０００から記録媒体に向かって吐出される。このようにインクタンクを記録装置に装着した状態において、インク供給口が重力方向の下向きに位置する。本発明においては、このように、インク供給口が重力方向下向きとなって、供給口から記録ヘッドに対してインクが供給されるときのインクタンクの姿勢を、インクタンクの使用状態における姿勢と定義する。インクタンクと記録ヘッドとが一体化されたヘッドカートリッジにおいては、記録ヘッドが記録媒体に向かって重力方向の下向きにインクを吐出する時のヘッドカートリッジの姿勢を、ヘッドカートリッジの使用状態における姿勢と定義する。
【００３４】
記録ヘッドＨ１０００には、微細な記録素子が複数配列されており、各記録素子にはインクを吐出させるための機構が備わっている。例えば、発熱抵抗体（ヒータ）を有する電気熱変換素子が配備された構成では、インクの吐出信号に応じて、個々の電気熱変換素子に電圧パルスが印加される。これにより、発熱抵抗体の近傍のインクが急激に加熱され、そのときに生じる膜沸騰の作用によって、インク滴が吐出口から吐出される。
【００３５】
（インクタンク全体の構成）
図４は、インクタンク１の外観斜視図である。インクタンク１は、内部にインク収納室を備えた容器であり、主に、インク容器筐体１０と蓋部材２０から構成されている。インクタンク１の底部には、記録ヘッドＨ１０００にインクを供給するためのインク供給口３０が備えられている。
【００３６】
図５は、インクタンク１の分解斜視図である。インクタンク１のインク容器筐体１０は、例えばポリプロピレンで形成されており、その内部には、インクを攪拌するための撹拌部材としての揺動部材１００、ばね部材５０、板部材６０、および可撓性フィルム７０が収容される。そして、インク容器筐体１０の開口部は、蓋部材２０によって封じられる。インク容器筐体１０の内壁には、図６のように揺動部材１００を支持するための突起部（支持部）４０が形成され、またインク供給口３０を形成するインク容器筐体１０の部位には、メニスカス形成部材３１が備えられている。
【００３７】
メニスカス形成部材３１は、例えば、ポリプロピレンの繊維材料から形成されて毛細管力を有する毛管部材、または、この毛管部材とフィルター部材（透過寸法は１５〜３０μｍ程度、材質はステンレス材料やポリプロピレン等）を組み合わせた吸収体である。メニスカス形成部材３１と筐体１０の内部との間は、インク流路によって連通されており、筐体１０内のインク収納室８０から、記録ヘッドＨ１０００にインクが供給できるようになっている。また、メニスカス形成部材３２内にはインクによるメニスカスが形成され、外部からの気泡がインク収納室８０内に侵入しないようになっている。メニスカス形成部材３１は、押え部材３１によって外側から押されて止められている。
【００３８】
インク容器筐体１０の開口周縁部には可撓性フィルム７０が溶着され、これにより、インク容器筐体１０内に、インク収納部としてのインク収納室８０（図８参照）が形成される。インクは、可撓性フィルム７０と筐体１０とによって形成されたインク収納室８０に収容される。可撓性フィルム７０は、例えば、ポリプロピレンの薄膜のような、厚み２０〜１００μｍ程度のフィルム部材であればよい。ばね部材５０は、板部材６０を介して可撓性フィルム７０を外方に付勢する。外方に付勢された可撓性フィルム７０は、図８のように、インク収納室８０の外側に向かって突出する凸型となる。この可撓性フィルム７０は、蓋部材２０によって保護され、また凸型部の突出量が制限される。このようなばね部材５０の付勢力により、インク収納室８０内は負圧状態となる。
【００３９】
蓋部材２０には、不図示の大気連通部が設けられており、インク収納室８０の外側は大気圧に保たれる。ばね部材５０と板部材６０は、例えば、ステンレス材料により形成されている。
【００４０】
インク収納室８０内のインクが記録ヘッドへの供給によって消費されるにつれて、ばね部材５０の縮みを伴って可撓性フィルム７０が撓み、インク収納室８０の容積が減少していく。本例のインクタンク１は、板部材６０が筐体１０の内壁に接触するまで、インク収納室８０内のインクを消費することが可能である。
【００４１】
（充填されるインクの組成）
本例において使用されるインクは、例えば、顔料を含有するインク（顔料インク）である。その顔料インクの顔料は、例えば、分散剤や活性剤を用いる樹脂分散剤タイプの顔料（樹脂分散型顔料）や、活性剤分散タイプの顔料であってもよい。その顔料は、水不溶性色剤自体の分散性を高めることによって、分散剤等を用いることなく分散可能としたマイクロカプセル型顔料であってもよく、また、顔料粒子の表面に親水性基を導入した自己分散タイプの顔料（自己分散型顔料）でもよい。更には、顔料粒子の表面に高分子を含む有機基が化学的に結合することによって、改質された顔料（ポリマー結合型自己分散顔料）を用いることもできる。もちろん、これらの分散方法の異なる顔料を組み合わせて使用することも可能である。本発明において使用できる顔料は、特に限定されるものではない。
【００４２】
下表１に、本例において使用する顔料インクの組成を２種類（顔料インク１，２）例示する。しかし本発明は、これらの組成に限定されるものではない。
【００４３】
本例において使用する顔料インクは下表１に示すインク配合比であって、顔料分散体１には自己分散型の顔料が使用され、顔料分散体２には樹脂分散型の顔料が使用されている。また、顔料分散体１と顔料分散体２は、いずれも顔料に水を加えて、顔料濃度が１０質量％となるように分散させることにより、分散液を調合している。各溶剤の配合は、下表１に記載されている。
【００４４】
【表１】
2007326360.tif 000003
【００４５】
インクタンクに注入する顔料インクの比重は、揺動部材の比重より小さいものが望ましい。本実施例における揺動部材は、ステンレス材料であって比重が８．０ｇ／ｃｍ3であり、顔料インクの比重は１．０〜１．１ｇ／ｃｍ3であり、揺動部材よりも顔料インクの比重が小さい。
【００４６】
（攪拌機構の構成）
図６は、揺動部材１００の設置状態を説明するための斜視図、図７は、その揺動部材１００の拡大斜視図である。
【００４７】
揺動部材１００の下端に位置する支持部１０１の両側は、筐体１０の内壁に形成された突起部４０に引っ掛けられ、これにより揺動部材１００は、ばね部材５０と接触しないように支持される。突起部４０は、揺動部材１００が揺動する際の支点となる。突起部４０を支持部とした場合、支持部１０１は、それに支持される被支持部である。突起部４０の頭部は、その突起部４０が引っ掛かる支持部１０１の切り欠き部分の幅よりも大径に形成されている。突起部４０は、揺動部材１００の揺動支点となると共に、その突起部４０の軸線方向における揺動部材１００のスライドを許容する。揺動部材１００には、インク容器筐体１０の重力方向の下側に位置する下側開口部１０２と、その上側に位置する上側開口部１０３と、が形成されている。つまり、揺動部材１００には、鉛直方向の上側位置する上側開口部１０３と、鉛直方方向の下側に位置する下側開口部１０２が形成されている。そして揺動部材１００は、それらの開口部１０２，１０３の間の内部が中空の中空部１０４となるように、立体的に成形されている。その中空部１０４には、開口部１０２，１０３の間を連通するインク流路（液体流路）が形成されている。インク収納室８０内（液体収納部内）のインクは、後述するように、そのインク流路を通して、開口部１０２，１０３の一方から導入されて他方から導出される。さらに、揺動部材１００は、インク収納室８０内にインクが充填されると、開口部１０２，１０３および中空部１０４がインク中に没する構成となっている。
【００４８】
本例の揺動部材１００は、下側開口部１０２の近辺に設けられた支持部１０１が突起部４０に支持される。そのため、図８のように揺動部材１００が揺動した際には、下側開口部１０２よりも上側開口部１０３の変位量が大きくなる。
【００４９】
また、揺動部材１００の中空部１０４の内径が小さ過ぎた場合には、インク中の顔料が中空部１０４の内径以上の大きさに凝集して、インクが中空部１０４内を移動できなくなるおそれがある。したがって中空部１０４の内径は、使用するインク中の顔料が凝集したとしても、インクが中空部１０４を移動できる程度に設定する。
【００５０】
また、本例の揺動部材１００は、ステンレス材料によって形成されている。本発明における揺動部材の材質は、これに限られるものではない。しかし、揺動部材１００の形成材料は、インク収納室８０内に収容されたインクよりも比重が大きい材料であることが望ましい。さらに、使用するインクの比重、粘度、および後述するキャリッジの移動速度等によって、揺動部材１００の移動速度が変わって、撹拌効率が変わることがあるため、揺動部材１００の比重は、種々の条件に応じて適宜選択されることが望ましい。
【００５１】
（攪拌機構の動作および作用）
図８（ａ）から（ｃ）は、本例における揺動部材１００の動作を説明するためのインクタンク１の側断面図であり、図４のＶＩＩＩ−ＶＩＩＩ線に沿う断面図に相当する。
【００５２】
図８（ａ）は、揺動部材１００の第１の状態を示す。キャリッジＭ４００１は、記録媒体の記録幅の範囲において、主走査方向（矢印Ｘ方向）に往復移動する。その移動方向が反転する際には、減速、停止、および反対方向への加速が行なわれる。その際、インクタンクには慣性力が働く。その慣性力が矢印Ｘ２方向に働く場合、つまりキャリッジＭ４００１の移動方向が矢印Ｘ２方向からＸ１方向に反転する場合には、図８（ａ）Ａのように、揺動部材１００が支持部１０１を支点として矢印Ａ１方向に回転する。このとき上側開口部１０３側は、突起部４０が設けられているインク容器筐体１０の内壁に接触する方向に変位する。ここでは、このように慣性力がＸ２方向に働いている状態を第１の状態としている。キャリッジＭ４００１の移動方向が矢印Ｘ２方向からＸ１方向に反転した後、キャリッジＭ４００１が矢印Ｘ１方向の等速移動するときには、慣性力は働かなくなり、揺動部材１００は第１の状態のままに保たれる。
【００５３】
図８（ｂ）は、揺動部材１００の第２の状態を示す。この第２の状態は、第１の状態とは逆に、慣性力がＸ１方向に働く場合、つまりキャリッジＭ４００１の移動方向が矢印Ｘ１方向からＸ２方向に反転する場合であり、図８（ｂ）のように、揺動部材１００が支持部１０１を支点として矢印Ａ２方向に回転する。このとき上側開口部１０３側は、インク収納室８０内の板部材６０に近づく方向に変位する。ここでは、このように慣性力がＸ１方向に働いている状態を第２の状態としている。キャリッジＭ４００１の移動方向が矢印Ｘ１方向からＸ２方向に反転した後、キャリッジＭ４００１が矢印Ｘ２方向の等速移動するときには、慣性力は働かなくなり、揺動部材１００は第２の状態のままに保たれる。
【００５４】
記録動作に伴ってキャリッジＭ４００１が往復移動を繰り返すため、揺動部材１００は、繰り返し図８（ａ），（ｂ）の第１および第２の状態となって、インク収納室８０内のインクを攪拌する。
【００５５】
図８（ｃ）は、揺動部材１００が揺動するときの開口部１０２，１０３の変位方向、変位量、およびインクの流れを示す。
【００５６】
上述したように、揺動部材１００の揺動（回転）に伴う上側開口部１０３の変位量Ｘ（１０３）は、下側開口部１０２の変位量Ｘ（１０２）よりも大きい。そのため、上側開口部１０３とその近傍のインクとの相対的な移動速度は、下側開口部１０２とその近傍のインクとの相対的な移動速度よりも速くなる。上側開口部１０３、下側開口部１０２、および中空部１０４が共にインクに没しているときには、２つの開口部１０２，１０３の速度差により、下側開口部１０２の近傍のインクと、上側開口部１０３の近傍のインクと、の間に圧力差が生じる。
【００５７】
本例では、上側開口部１０３とその近傍のインクとの相対的な移動速度は、下側開口部１０２とその近傍のインクとの相対的な移動速度よりも速いため、上側開口部１０３近傍のインクの圧力は、下側開口部１０２近傍のインクより低くなる。したがって、下側開口部１０２から上側開口部１０３に向かって、中空部１０４を通してインクの流れＢ１，Ｂ２，Ｂ３が生じる。このインクの流れを利用して、インク収納室８０の下層部に沈降しがちな顔料粒子を上層部にまで持ち上げることができ、この結果、インク収納室８０内の顔料粒子を効率よく攪拌することができる。
【００５８】
本発明者らは、インクの攪拌効果を検証するために、揺動部材の中空部がインク中に没する位置まで、顔料インクをインクタンクに注入した。そして、顔料インクの沈降する現象を短期間で検証するために、そのインクタンクを加温保存した。その加温保存は、温度６０℃で９０日間保存した。このように加温保存したインクタンクを常温環境化に置き、そして温度をさました後に、揺動部材を揺動させずにインクタンク内の重力方向の下側に位置する顔料インクを採取した。また、同様に加温保存した後の別のインクタンクにおいては、揺動部材を揺動させてから、インクタンク内の重力方向の下側に位置する顔料インクを採取した。そして、これら両者のインクタンクから採取した顔料インクの顔料濃度を比較した。
【００５９】
下表２は、このように加温保存後に攪拌せずに採取した顔料インクの顔料濃度と、加温保存後に上述した方法によって攪拌してから採取した顔料インクの顔料濃度と、を示す。下表２中の顔料濃度は、加温保存前の顔料濃度を１００としたときの相対値である。下表２に示すように、撹拌をしなかったときの前者の顔料濃度は１７０であり、撹拌をしたときの後者の顔料濃度は１２０未満であった。これにより、上述した撹拌方法を実施することにより、インクの顔料濃度を加温保存前の顔料濃度に近づくことが確認できた。
【００６０】
【表２】
2007326360.tif 000004
【００６１】
このように第１の実施形態においては、揺動部材が揺動したときに、その下側に形成される開口部の移動速度が、その上側に形成される開口部よりも遅くなるように構成することにより、インク容器内の下層部から上層部に向かうインクの流れを生じさせる。そのインクの流れにより、インク容器内にて、濃度の濃いインクと薄いインクとを対流させて、効率よく攪拌することができる。この結果、インクタンクの使用初期と使用後期において、記録画像に濃度差が生じることを防止したり、複数のカラーインクを用いた時に発生するカラーバランスの崩れを防止することができる。
【００６２】
揺動部材の上側開口部と下側開口部の移動速度差を大きくするためには、揺動部材１００の揺動支点が下側開口部に近く、上側開口部から遠いほど有利である。揺動部材が剛体である場合には、少なくとも揺動部材の揺動支点から、上側開口部および下側開口部までの距離が異なっている必要がある。
【００６３】
また、揺動部材１００が一方向に揺動し、続いて逆方向に反転する直前に、中空部１０４内のインクに慣性力を働かせることにより、その中空部１０４内のインクに上側開口部１０３に向かう流れを生じさせることもできる。揺動方向の反転時に、中空部１０４内のインクは、慣性力によって下側開口部１０２から上側開口部１０３に向かう推進力を受け、その中空部１０４を通して、図８（ｃ）のようなインクの流れＢ１，Ｂ２，Ｂ３が生じる。このインクの流れを利用して、インク収納室８０の下層部に沈降しがちな顔料粒子を上層部にまで持ち上げることができる。この結果、インク収納室８０内の顔料粒子を効率よく攪拌することができる。揺動部材１００の揺動方向は、必ずしも反転する必要は無い。慣性力によって、インク収納室の底部に位置する顔料粒子を揺動部材の中空部を経由して容器上部へ巻き上げるための充分な推進力が加えられればよく、揺動部材の一方向の揺動の後、その揺動部材が停止しても構わない。
【００６４】
また、揺動部材１００の揺動によって中空部１０４内のインクに遠心力を働かせることにより、その中空部１０４内のインクに、上側開口部１０３に向かう流れを生じさせることもできる。また、揺動部材１００の外壁とインク収納室８０の内壁との相対的な近接および離間変位によって、機械的にインクの流れを生じさせることもできる。
【００６５】
いずれの構成においても、中空部を有する揺動部材を液体収納容器内に備え、その揺動部材を揺動させることにより、その中空部の一端側から液体を中空部内に流入させて、その中空部の他端側から液体を流出させるように、液体を中空部内に案内できればよい。それにより、液体収納容器内の液体を攪拌する上において、効果的な液体の流れを生じさせることができる。
【００６６】
本実施形態のように、揺動部材における鉛直方向下側の開口部近傍に揺動支点を設けた場合、インク収納室の下層部に沈降しがちな顔料粒子を容易かつ確実に上層部にまで持ち上げることができる。すなわち、揺動部材の鉛直方向中央部よりも下側に揺動支点を位置させることにより、重力方向下方に位置する開口部から導入したインクを重力方向上方に位置する開口部から導出することができる。つまり、中空部を経由して、重力方向の下方から上方に向かってインクを案内して攪拌することができる。この結果、液体収納容器に収納されたインクなどの液体の全域を効率的に攪拌して、その液体の濃度傾斜を少なくすることができる。撹拌の効果は、インク収容室の寸法、揺動部材の内径、揺動部材の周囲長、揺動部材の表面積、揺動部材の長さ、揺動部材の比重、揺動部材の移動速度、揺動部材の移動距離、インクの粘度、接触角、インクの比重等のパラメータにより差が生じる。しかしながら、このようなパラメータは、インクタンク内のインクが揺動部材の中空部を経由して、容器内部を移動するために充分な推進力が得られるのであれば、どのように設定してもよい。タンク内のインクに作用する遠心力、および慣性力によって、このような推進力が発生するように、揺動部材１００を揺動させればよい。このような揺動部材の揺動によって、インクタンク内のインクを撹拌することが可能となる。
【００６７】
また本例では、キャリッジの往復移動により、揺動部材を揺動させる方法を示した。しかし、本発明の液体収容器は、例えば、その物流中の移動時等の振動により揺動部材が揺動した場合においても、撹拌効果を得ることができる。
【００６８】
（攪拌機構の構成の変形例）
本実施形態の作用効果を実現するための構成は、上述した攪拌機構の構成に限定されるものではない。
【００６９】
図９は、攪拌機構の構成の変形例として、異なる形状の揺動部材１００を配置したインクタンクの説明図である。本例の揺動部材１００は、その開口部１０２，１０３が楕円形とされ、その中空部１０４が円柱状とされている。中空部１０４が開口部１０２，１０３を除いて略密閉空間となるような構成であれば、前述した図１から図８の構成のものと同様の効果を得ることができる。
【００７０】
図１０の攪拌機構の変形例においては、揺動部材１００をより簡易かつ低コストに製造するために、例えば、ステンレスの板状の部材を折り曲げることによって、揺動部材１００の開口部１０２，１０３および中空部１０４が形成されている。本例の攪拌機構は、上側開口部１０３と、下側開口部１０２と、これら２の開口部を接続する第３の開口部（隙間部）１０５と、を備えている。これらの３つの開口部によって囲まれた空間によって、インクの流れが生じる中空部１０４が形成されている。つまり、中空部１０４は、上下の開口部以外の部位において、第３の開口部１０５を通してインク収納室８０内（液体収納部内）に連通する。
【００７１】
中空部１０４内にインクの流れＢ２（図８（ｃ）参照）が生じる構成であれば、前述した構成と同様の効果を得ることができる。また第３の開口部１０５は、上側開口部１０３と下側開口部１０２との間に連続する本例のような開口部に限らず、それらの開口部１０３，１０２の間において非連続の複数の隙間を形成するものであってもよい。
【００７２】
図１１の攪拌機構の変形例においては、対向するインク容器筐体１０の内壁の間に、揺動部材１００を支持するためのシャフト１０６が配設されている。揺動部材１００の一部には切り欠きもしくは孔形状の被支持部１０７が設けられており、これらの被支持部１０７をシャフト１０６が水平方向に貫通する構成となっている。インク収納室８０内に位置する２つの揺動部材は、１本のシャフト１０６によって、揺動自在に支持されている。このような構成であっても、シャフト１０６を支点として揺動部材１００が揺動することにより、前述した構成のものと同様の効果を得ることができる。本例においては、複数の揺動部材の揺動支軸を共通化することができる。このように揺動支軸を共通化する構成は、本例のみに特定されず任意である。
【００７３】
図１２の揺動部材１００は、その中空部１０４が屈曲した形状となっている。その揺動部材１００は、鉛直方向に配設されたシャフト１０６によって、その軸線Ｏを中心として揺動自在に支持されている。下側開口部１０２は、インク容器筐体１０の下層部近辺に位置し、かつ、シャフト１０６の近くに位置する。上側開口部１０３は、下側開口部１０２よりも、水平方向においてシャフト１０６から遠ざかる方向に位置する。中空部１０４は、下方に開口する下側開口部１０２と、シャフト１０６から遠ざかる方向に開口する上側開口部１０３と、の間に、屈曲するように形成される。このような構成であっても、シャフト１０６を支点として揺動部材１００が揺動することにより、前述した構成のものと同様な効果を得ることができる。図８の構成と同様に、揺動部材の下側開口部、中空部、および上側開口部は、全てインク中に没している。
【００７４】
図１３の揺動部材１００は、例えばシリコンゴムのような柔軟性がある材料（可撓性部材）によって形成されている。揺動部材１００の下側開口部１０２近辺は、水平方向に延在するシャフト１０６に固定され、上側開口部１０３は自由に動くことができるようになっている。記録動作に伴って、インクカートリッジ１を搭載したキャリッジＭ４００１が矢印Ｘの主走査方向に往復移動することにより、揺動部材１００は、上側開口部１０３側を撓ませながら主走査方向に反復移動する。前述した構成と同様に、インク収納室８０内のインクを攪拌することができる。
【００７５】
上述の第１の実施形態では、インク収納室８０内に２つの揺動部材１００が設けられた適用例を示した。これら２つの揺動部材１００は、短時間で効率的に撹拌を実施するために出来るだけ開口部の開口面積を大きくしつつ、インク収納室８０内に設けられたばね部材５０に接触しないように設けられている。揺動部材１００は、ばね部材５０等により揺動が阻害されない形態であればよい。
【００７６】
図１４に示すように、揺動部材１００を１つのみ設置する構成であってもよい。本例の場合は、１つの揺動部材１００に対して、２つの支持部１０１が図１４中の左右対称的に設けられている。
【００７７】
また図１５に示すように、揺動部材１００は、下側開口部１０２と上側開口部１０３との間に、中空部１０４に連通する１つまたは複数の中間開口部１０８を設けてもよい。つまり、中空部１０４は、下側および上側開口部１０２，１０３以外の部位（第１および第２開口部以外の部位）において、インク収納室内に連通する。本例の場合は、開口部１０２，１０３を連通する連続した部位に、２つの中間開口部１０８が上下にずれて設けられており、それらを上側開口部１０３と同様に機能させることができる。また、それらの中間開口部１０８は、インク収納室８０内のインク残量が減少したときに、上側開口部１０３に代わって機能することができる。また、これらの中間開口部１０８の形成数、形状、および形成位置は任意であり、中空部１０４に連通する構成であればよい。中間開口部は、インク収納室８０内のインクの攪拌効果を考慮して最適に設定することができる。
【００７８】
図１６の揺動部材１００は、水平方向に延在するシャフト１０６に揺動自在に支持されており、下側開口部１０２の近傍には、インクの流れＺを受ける受け部材１０９が設けられている。さらに、受け部材１０９の先端にはおもり１１０が設けられており、そのおもり１１０と下側開口部１０２は、受け部材１０９を挟んで対向するように位置する。また、インクタンク１の下層部の位置には、揺動部材１００の駆動力としてのインクの流れＺを導入するための流路１１２が設けられ、インク容器筐体１０の内壁にはストッパー１１１が固定されている。流路１１２は、外部からのインクを揺動部材１００に向けて導入可能な液体導入口を形成する。
【００７９】
図１６（ａ）は、流路１１２からのインクの流れＺが発生しておらず、揺動部材１００が停止している状態を示す。このとき、おもり１１０の重みにより、揺動部材１００には、シャフト１０６を支点として重力方向下向きの力が働き、受け部材１０９はストッパー１１１に当たっている。図１６（ｂ）は、図示しないポンプ等を利用して流路１１２からインクの流れＺを発生させたときに、揺動部材１００が揺動する状態を示す。受け部材１０９は、インクの流れＺを受けることにより、シャフト１０６を支点として揺動部材１００と共に揺動し、揺動部材１００の上側開口部１０３は、インク収納室８０内の板部材６０に接触する方向に変位する。その後、インクの流れＺを止めると、再び、おもり１１０の重みにより図１６（ａ）のような状態となる。
【００８０】
このように本例の場合は、インクの流れＺを利用して揺動部材１００を揺動させることにより、インク収納室８０内のインクを攪拌する。これにより、前述した構成と同様の効果を得ることができる。揺動部材の中空部１０４内に生じるインクの流れにより、インクタンク内にて、高濃度のインクと低濃度のインクとを対流させることができる。
【００８１】
また、このような攪拌機構の変形例を備える第１の実施形態のインクタンク１は、その内部のインクが消費されるにつれて、インク収納室８０の容積が減少していく。しかし、インクタンク１は、このような構成に限定されない。例えば、インクタンク１に大気連通孔を設け、インクの消費とともに空気がインク収容室８０内に取り込まれる構成であってもよい。
【００８２】
（第２の実施形態）
次に、本発明の第２の実施形態について説明する。本実施形態における液体収納容器は、前述した図１から図３の記録装置に搭載可能なインクカートリッジとしての適用例である。本実施形態のインクタンクは、インクが消費されてもインク収納室の容積は減少しない。つまり、インク収納室の容積は減少せずに、インク収納室内のインク量だけが減少する構成となっている。
【００８３】
（インクタンクの全体構成）
図１７は、本例のインクタンク２の分解斜視図である。インクタンク２は、内部にインク収納室１８０を備えた容器であり、その主体は、インク容器筐体１１０と蓋部材１２０とにより構成されている。インクタンク２の底部には、記録ヘッドにインクを供給するためのインク供給口１３０が形成され、また、インクタンク２の天井部には大気連通口１１０Ａが形成されている。インクタンク２において、インク収納室１８０内を負圧に保つ必要がある場合には、負圧発生機構（不図示）を設けてもよい。
【００８４】
インク容器筐体１１０は、例えばポリプロピレンにより形成されており、その内部にはインクを攪拌するための撹拌部材としての揺動部材３００が収容され、そしてインク容器筐体１１０の開口部は蓋部材１２０によって封じられている。インク容器筐体１１０の内壁には、揺動部材３００を支持するための突起部１４０が設けられ、インク供給口１３０にはメニスカス形成部材１３１が備えられている。メニスカス形成部材１３１は、ポリプロピレンの繊維材料から形成されて毛細管力を有する毛管部材、あるいは、毛管部材とフィルター部材とを組み合わせた吸収体である。フィルター部材の透過寸法は１５〜３０μｍ程度、材質はステンレス材料やポリプロピレンなどである。メニスカス形成部材１３１とインク容器筐体１１０の内部はインク流路によって連通されており、インク容器筐体１１０内のインク収納室１８０から記録ヘッドにインクが供給できるようになっている。メニスカス形成部材１３１内にはインクによるメニスカスが形成され、これにより、外部からの気泡がインク容器筐体１１０内に侵入しないようになっている。メニスカス形成部材１３１は、押え部材３２によって外側から押されてタンクに保持されている。インク収納室１８０の天井部には大気連通口１１０Ａが設けられており、記録ヘッドへの供給によってインク収納室１８０内のインクが消費されるにしたがって、インク収納室１８０内のインクの液面が下がるように構成されている。
【００８５】
（攪拌機構の構成）
図１８は、揺動部材３００の設置状態を説明するための斜視図、図１９は、その揺動部材３００の拡大斜視図である。
【００８６】
揺動部材３００の支持部３０１の両側は、インク容器筐体１１０の内壁に形成された突起部１４０に引っ掛かり、これにより揺動部材３００が支持される。突起部１４０は、揺動部材３００が揺動する際の支点となる。揺動部材３００には、インク容器筐体１１０の重力方向の下側に位置する下側開口部３０２と、その上側に位置する上側開口部３０３と、が形成され、それらの開口部３０２，３０３の間に中空部３０４が形成されている。上側開口部３０３は、上下方向に延在する中空部３０４に対して鉛直方向斜めに開口している。このように揺動部材３００は、内部が中空の中空部３０４となるように立体的に成形されている。
【００８７】
本例の揺動部材３００は、その下側開口部３０２の近辺に設けられた支持部３０１によって、突起部１４０に支持されている。そのため、図２０（ｃ）のように揺動部材３００が揺動した際には、下側開口部３０２よりも上側開口部３０３の変位量が大きくなる。また、揺動部材３００は、ステンレス材料によって形成されている。但し、揺動部材３００の形成材料はこれに限られたものでなく、インク収納室１８０内に収容されたインクよりも比重が大きい材料であればよい。揺動部材３００は、インク収納室１８０内にインクが充填された時に、開口部３０２，３０３および中空部３０４がインクに没する構成となっている。
【００８８】
（攪拌機構の動作および作用）
図２０（ａ）から（ｃ）は、第２の実施形態における揺動部材３００の動作を説明するためのインクカートリッジ２の側断面図であり、図１７のＸＸ−ＸＸ線に沿う断面図である。
【００８９】
図２０（ａ）は、揺動部材３００の第１の状態を示す。キャリッジＭ４００１は記録媒体の記録幅の範囲において主走査方向（矢印Ｘ方向）往復移動するため、その移動方向が反転する際には、減速、停止、および反対方向への加速が行なわれる。その際、インクカートリッジ２には慣性力が働く。その慣性力が矢印Ｘ１方向に働く場合、つまりキャリッジＭ４００１の移動方向が矢印Ｘ１方向からＸ２方向に反転する場合、揺動部材３００は、図２０（ａ）のように、支持部３０１を支点として矢印Ｅ１方向に回転する。このとき上側開口部３０３側は、突起部１４０が設けられているインク容器筐体１１０の内壁に接触する方向に変位する。ここでは、このように慣性力がＸ１方向に働いている状態を第１の状態としている。キャリッジＭ４００１の移動方向が矢印Ｘ１方向からＸ２方向に反転した後、キャリッジＭ４００１が矢印Ｘ２方向の等速移動するときには、慣性力は働かなくなり、揺動部材３００は第１の状態のままに保たれる。
【００９０】
図２０（ｂ）は、揺動部材３００の第２の状態を示す。第２の状態は、第１の状態とは逆に、慣性力がＸ２方向に働く場合、つまりキャリッジＭ４００１の移動方向が矢印Ｘ２方向からＸ１方向に反転する場合であり、揺動部材３００は、図２０（ｂ）のように、支持部３０１を支点として矢印Ｅ２方向に回転する。このとき上側開口部３０３側は、蓋部材１２０に接触する方向に変位する。ここでは、このように慣性力がＸ２方向に働いている状態を第２の状態としている。キャリッジＭ４００１の移動方向が矢印Ｘ２方向からＸ１方向に反転した後、キャリッジＭ４００１が矢印Ｘ１方向の等速移動するときには、慣性力は働かなくなり、揺動部材３００は第２の状態のままに保たれる。
【００９１】
記録動作もしくはインクを撹拌する動作に伴って、キャリッジＭ４００１が往復移動を繰り返すため、揺動部材３００は、繰り返し図２０（ａ），（ｂ）の第１および第２の状態となって、インク収納室１８０内のインクを攪拌する。
【００９２】
図２０（ｃ）は、揺動部材３００が揺動するときの開口部３０２，３０３の変位方向、変位量、およびインクの流れを示す。
【００９３】
上述したように、揺動部材３００の揺動に伴う上側開口部３０３の変位量Ｘ（３０３）は、下側開口部３０２の変位量Ｘ（３０２）よりも大きい。上側開口部３０３の少なくとも一部、下側開口部３０２、および中空部３０４が共にインクに没していれば、中空部３０４を通して、下側開口部３０２から上側開口部３０３に向かうインクの流れＦ１，Ｆ２，Ｆ３が生じる。このインクの流れを利用して、インク収納室１８０内のインクを攪拌することができる。
【００９４】
本実施形態において、上側開口部３０３は、上下方向に延在する中空部３０４に対して鉛直方向斜めに開口する形状となっている。揺動部材３００は、図２１（ａ）のように、その上側開口部３０３の全てがインク収納室１８０内のインク９０に没している必要はない。図２１（ｂ）および（ｃ）のように、少なくとも上側開口部３０３の一部がインク９０に没していれば、前述したような攪拌効果を発揮することができる。このことは、インク９０の消費に伴ってインク収納室１８０内のインク９０の液面が下がる構成のインク容器筐体１０において、有用である。
【００９５】
また、揺動部材３００の上側開口部３０３は、図２２のように、揺動部材３００の揺動方向に対面した面に、斜めに開口させてもよい。
【００９６】
（第３の実施形態）
次に、本発明の第３の実施形態について説明する。
【００９７】
本実施形態におけるインクジェット記録装置Ｍ１００１は、図２３に示すように、シャフトＭ４００２に沿って主走査方向（矢印Ｘ方向）に往復移動可能なキャリッジＭ４００１に、記録ヘッドカートリッジＨ１００２が着脱自在に搭載される。記録ヘッドカートリッジＨ１００２は、サブタンク（液体収納容器）３と記録ヘッドＨ１０００とを一体的に結合した構成となっている。図２４のように、サブタンク３内には、前述した第２の実施形態のインクタンク１と同様に、揺動部材３００が備えられている。サブタンク３内のインク９０は、フィルター１３０３およびインク流路１３０４を通して、記録ヘッドＨ１０００を構成する記録チップに供給され、その記録ヘッドＨ１０００の吐出口から吐出される。
【００９８】
サブタンク３と、キャリッジＭ４００１の外に設置されるメインタンク１３１１と、の間には、チューブ１３０１が接続されている。メインタンク１３１１にはインク９０が収納されており、そのインク９０は、ポンプ１３０２によってサブタンク３へ供給される。したがって、メインタンク１３１１内のインク９０は、一旦、サブタンク３に入ってから、記録ヘッドＨ１０００に供給されることになる。
【００９９】
画像の記録に際しては、前述した実施形態のシリアルスキャンタイプの記録装置と同様に、記録ヘッドＨ１０００がキャリッジＭ４００１と共に主走査方向に移動しつつインクを吐出する動作と、記録媒体を副走査方向に搬送する動作と、繰り返す。
【０１００】
サブタンク３内のインク９０は、前述した実施形態と同様に、記録装置の非使用時間が長期間続いた場合には、顔料インク中の顔料粒子がサブタンク３の下層部に沈降しやすくなる。前述した第２の実施形態と同様に、サブタンク３の内壁に揺動部材３００が支持されているため、キャリッジＭ４００１の往復移動（図２４中紙面の表裏方向）に伴う慣性力によって、揺動部材３００を揺動させることができる。この結果、前述した第２の実施形態と同様に、揺動部材の中空部にインク流を発生させて、サブタンク３内のインク９０をまんべんなく攪拌することができる。
【０１０１】
本実施形態においても、上側開口部３０３の少なくとも一部がインク９０に没していれば、攪拌効果を発揮することができる。このことは、本例のようにインク９０の消費に伴ってインクタンク内のインク９０の液面が下がるサブタンク３の構成において、有用である。
【０１０２】
（第４の実施形態）
次に、本発明の第４の実施形態について説明する。本実施形態における液体収納容器は、前述した図１から図３の記録装置に搭載可能なインクタンクとしての適用例である。
【０１０３】
（インクタンク全体の構成）
図２５は、インクタンク４の外観斜視図である。インクタンク４は、内部にインク収納室を備えた容器であり、主に、インク容器筐体４０１と蓋部材４０２から構成されている。インクタンク４の底部には、記録ヘッドＨ１０００にインクを供給するためのインク供給口４０３が備えられている。
【０１０４】
図２６は、インクタンク４の分解斜視図である。インクタンク４のインク容器筐体４０１は、例えばポリプロピレンで形成されており、その内部には、インクを攪拌するための揺動部材５００が収容される。インク容器筐体４０１の開口部は、蓋部材４０２によって封じられている。インク容器筐体４０１の内部は仕切壁４１３によって２つの空間に仕切られており、その仕切壁４１３の下側には、それら２つの空間を連通する連通部４１４が形成されている。この２つの空間の内、一方の空間は、インクが収容されるインク収納室４１１であり、連通部４１４を除いて密閉されている。また、他方の空間は負圧発生室４１２である。負圧発生室４１２に面する蓋部材４０２の部分には、インク消費に伴って大気を導入するための大気連通口４１７が形成されている。また、負圧発生室４１２に面するインク容器筐体４０１の部分には、記録ヘッドＨ１０００にインクを供給するための供給口４０３が形成されている。供給口４０３には、インクを保持するためのメニスカス形成部材４０４が備えられている。メニスカス形成部材４０４内にはインクによるメニスカスが形成され、外部からの気泡がインク容器筐体４０１内に侵入しないようになっている。
【０１０５】
負圧発生室４１２内には、ポリプロピレンの繊維材料から形成されて毛管力を有する第１および第２の２つの負圧発生部材４１５および４１６が収納されている。負圧発生室内４１２内において、これらの負圧発生部材４１５および４１６は互いに圧接されて収納されている。負圧発生部材４１５および４１６は、種々の多孔質または繊維部材を含むことによってインクを吸収可能な吸収体であってもよい。第１の負圧発生部材４１５の毛管力をＰ１、第２の負圧発生部材４１６の毛管力をＰ２、メニスカス形成部材４０４の毛管力をＰ３とすると、これらの毛管力はＰ１＜Ｐ２＜Ｐ３の関係にある。
【０１０６】
このような構成において、負圧発生室４１２内のインクが記録ヘッドによって消費されると、大気連通口４１７から負圧発生室４１２に空気が導入され、その空気が連通部４１４を通してインク収納室４１１に入る。このようなインク収納室４１１へ空気の導入に代わって、連通部４１４を通して、インク収納室４１１から負圧発生室４１２内の負圧発生部材４１５、４１６にインクが充填される。このように、連通部４１４を通して、空気とインクが気液交換される。
【０１０７】
（攪拌機構の構成）
図２７は、揺動部材５００の設置状態を説明するための斜視図、図２８は、その揺動部材５００の拡大斜視図である。
【０１０８】
揺動部材５００は、インク容器筐体４０１の重力方向の下側に位置する下側開口部５０２と、その上側に位置する上側開口部５０３と、が形成されている。それらの開口部５０２，５０３の間には、断面楕円形の筒状となるように中空部５０４が立体的に形成されている。また、下側開口部５０２近傍において、楕円形の長軸に当たる位置の２カ所には、凹形状の支持部５０１が設けられている。
【０１０９】
本例における揺動部材５００はステンレス材料によって形成され、その内側の中空部５０４には、インク中の泡が溜まらないように、例えば、サンドブラスト等の親水化処理が施されている。揺動部材５００の形成材料は、これに限られたものではなく、またインク収納室４１１内に収容されたインクよりも比重が大きい材料が望ましい。また、中空部５０４の形状は楕円形に限らず、円形や角形であっても構わない。また、支持部５０１の形状は、凹形状であっても揺動部材５００を貫通している形状であってもよく、さらに、支持部５０１の位置は、開口部５０２近傍における楕円形の長軸に当たる位置でなくても構わない。
【０１１０】
図２７に示すように、インク収納室４１１の内壁には固定部材４０８が設けられ、その固定部材４０８には突起部４０９が設けられている。突起部４０９と、揺動部材５００の支持部５０１と、が嵌合することにより、支持部５０１は、揺動部材５００が揺動する際の支点となる。揺動部材５００は、支持部５０１を支点として揺動自在となる。本例の揺動部材５００は、その下側開口部５０２の近辺の支持部５０１が支持されるため、揺動部材５００が揺動した際には、上側開口部５０３の変位量が下側開口部５０２よりも大きくなり、その移動速度も速くなる。
【０１１１】
（インクの充填方法）
インクをインクタンクに充填する方法について説明する。
【０１１２】
まずは、インクが揺動部材５００に接する位置まで、インク収容室４１１内にインクを注入する。インクが揺動部材５００に接した後は、インクをゆっくり注入し、親水化処理された揺動部材５００の内壁に沿うような中空部５０４内へのインクの充填を先行させる。その後に、インク収容室４１１の壁面に沿うようなインク収容室４１１内へのインクの充填を行なう。インクの充填方法は、このような充填方法に限定されない。例えば、始めに、揺動部材５００の下側開口部５０２をフィルムで塞ぎ、その中空部５０４内にインクを充填してから、上側開口部５０３をフィルムで塞ぐ。その後に、インクが充填された揺動部材５００が位置するインク収容室４１１内に、インクを注入してから、下側開口部５０２のフィルムと上側開口部５０３のフィルムを破ることによって、インク収納室４１１内の全体にインクを充填させてもよい。インク収納室４１１内にインクが充填されると、揺動部材５００の開口部５０２，５０３および中空部５０４はインクに没する。
【０１１３】
このように、揺動部材５００の中空部５０４内へのインクの充填と、インク収納室４１１内へのインクの充填と、を分けて行なうことにより、中空部５０４内に泡が溜まらないようにインクを充填することができる。
【０１１４】
（撹拌機構の動作および作用）
図２９（ａ）から（ｄ）は、図２におけるキャリッジの動作を説明するための記録装置の要部の概略構成図である。図３０（ａ）から（ｈ）は、本例における揺動部材５００の動作、および揺動部材５００の中空部５０４内に生じるインク流の説明図であり、インクタンクの底部に沈降した濃い顔料成分のインクが撹拌される様子を表している。図３０（ａ）から（ｈ）は、図２５のＸＸＸ−ＸＸＸ線に沿う断面図に相当する。
【０１１５】
まず、図２９（ａ）から（ｄ）を用いて、液体収容器としてのインクタンク４を装着したキャリッジＭ４００１の動作について説明する。
【０１１６】
キャリッジＭ４００１は、図２９（ａ）のようなホームポジションの位置から、記録装置Ｍ１０００のシャーシに設置されたキャリッジシャフトＭ３０２０に沿って矢印Ｘ２方向に移動する（図２９（ｂ）参照）。そして、記録媒体の記録幅、もしくは、揺動部材５００を動作させるために必要な距離だけ、キャリッジＭ４００１を移動させて、それを図２９（ｃ）のように位置させる。そして、その位置からキャリッジＭ４００１の移動方向を反転させて、それを矢印Ｘ１方向に移動させる（図２９（ｄ）参照）。そして、図２９（ａ）の位置から、再び、キャリッジＭ４００１の移動方向を反転させ、その後、その矢印Ｘ方向の往復移動を記録に必要な回数だけ反復する。キャリッジＭ４００１は、その移動方向が反転する際に、減速、停止、および反対方向への加速が行なわれる。このように本例においては、記録のためのキャリッジＭ４００１の往復移動に先立って、図２９（ｂ）から（ｄ）のように、少なくとも１回はキャリッジＭ４００１を往復移動させる。これにより、後述するように、記録動作に先立ってインクを攪拌することができる。
【０１１７】
次に、図３０（ａ）から（ｈ）を用いて、キャリッジＭ４００１の往復移動に伴うインクタンク４内の揺動部材５００の動作について説明する。これらの図に示すインク収容室４１１は、その内部がインクで満たされている状態にある。
【０１１８】
図３０（ａ）は、キャリッジＭ４００１が図２９（ａ）のようにホームポジションに静置され、インク収納室４１１内の揺動部材５００は、その上側開口部５０３側がインク収納室４１１の内壁に接して静置している状態を示す。この状態は、キャリッジＭ４００１が図２９（ａ）の位置から動き出してから、図２９（ｂ）のようにＸ２方向に等速移動するときまで保たれたままである。
【０１１９】
図３０（ｂ）から（ｅ）は、キャリッジＭ４００１が図２９（ｃ）の位置に到達してから、その移動方向がＸ２方向からＸ１方向に反転した時、もしくは図２９（ｄ）のように、キャリッジＭ４００１が移動方向の反転後にＸ１方向に移動している時の状態を示す。キャリッジＭ４００１の移動方向が反転する際、インクタンク４には慣性力が働く。その慣性力が矢印Ｘ２方向に働く場合、つまりキャリッジＭ４００１の移動方向が矢印Ｘ２方向からＸ１方向に反転する場合、揺動部材５００は、図３０（ｂ）から（ｅ）に示す順に、支持部５０１を支点として矢印Ｓ２方向に揺動する。そして、図３０（ｅ）に示すように、揺動部材５００の上側開口部５０３側がインク収納室４１１の反対側の内壁（図３０（ａ）において接する内壁とは反対側の内壁）に接することにより、その揺動部材５００のＳ２方向への揺動が停止する。揺動部材５００は、キャリッジＭ４００１が図２９（ｃ）の位置から動き出してから、図２９（ｄ）のようにＸ２方向に等速移動するまでは、図３０（ｅ）に示す状態に保たれたままである。
【０１２０】
図３０（ｆ），（ｇ）は、キャリッジＭ４００１がＸ１方向に移動して図２９（ａ）の位置に到達してからＸ２方向に反転した時、もしくは、図２９（ｂ）に示すように、キャリッジＭ４００１の移動方向が反転してからＸ２方向に移動している時の状態を示す。キャリッジＭ４００１の移動方向が反転する時に生じる慣性力が矢印Ｘ１方向に働く場合、揺動部材５００は、図３０（ｆ），（ｇ）に示す順に、支持部５０１を支点として矢印Ｓ１方向に揺動する。その後、キャリッジＭ４００１が再びＸ１方向に移動することにより、図３０（ｈ）に示すように、揺動部材５００がＳ２方向に揺動する。
【０１２１】
キャリッジＭ４００１が往復移動を繰り返す間、揺動部材５００は、以上のような往復移動を繰り返す。
【０１２２】
次に、図３０（ａ）から（ｈ）を用い、揺動部材５００の往復移動に伴って揺動部材５００の中空部５０４内に生じるインク流、およびインクが撹拌される様子について説明する。
【０１２３】
揺動部材５００がＳ２方向に揺動し始めると、その揺動部材５００が揺動したことにより生じる遠心力によって、図３０（ｂ）に示すように、中空部５０４内に存在するインクには、上側開口部５０３から流出する流れＴ２が生じる。それと同時に、下側開口部５０２近傍のインクタンク底部に存在しているインクには、中空部５０４に流入する流れＴ１が生じる。揺動部材５００の揺動が継続されると、中空部５０４内のインクに作用する遠心力により、そのインクは、図３０（ｂ）から（ｄ）中のように、中空部５０４内を流れて上側開口部５０３から流出する。
【０１２４】
図３０（ｅ）のように、揺動部材５００のＳ２方向への揺動が停止すると、中空部５０４内のインクには、揺動部材５００の揺動の停止により生じる慣性力が作用し、中空部５０４内のインクの流れはさらに加速される。中空部５０４を経由したインクは、上側開口部５０３から流出された後、図３０（ｆ），（ｇ）に示すような流れＴ３となって、顔料成分の薄いインク中に拡散される。また、インク収納室４１１のインクは、その内壁によって跳ね返るインクの流れＴ４によってさらに撹拌される。
【０１２５】
上側開口部５０３から流出された顔料成分の濃いインクは、Ｔ２、Ｔ３、Ｔ４の流れおよび重力により、揺動部材５００が設置されている高さにまで降りてくる。そして図３０（ｈ）に示すように、揺動部材１００の揺動に伴って、その外壁とインク収納室４１１の内壁との相対的な近接および離間変位によって、それらの間に機械的な流れＴ５が生じる。その流れＴ５によって、インク収納室４１１内のインクはさらに撹拌される。
【０１２６】
以上のような動作を１回もしくは複数回実施することにより、インク収納室４１１内のインクは、Ｔ１からＴ５の流れにより下層部から上層部にまで持ち上げられて撹拌される。その結果、インク収納室４１１の上層部のインクを含めて、インク収納室４１１内全体をまんべんなく撹拌することができる。
【０１２７】
揺動部材５００の揺動は連続的に実施することが望ましく、その連続的な揺動により、インク収納室４１１内の上部に向かってインクを巻き上げるための推進力を高めることができる。つまり、揺動部材５００の中空部５０４内のインクに流れＴ２を生じさせるポンピング作用を高めることができる。
【０１２８】
また本例では、揺動部材５００の揺動方向を反転させながら撹拌を行った。しかし、その揺動方向は必ずしも反転する必要は無い。慣性力によって、インク収納室の底部に位置する顔料粒子を揺動部材の中空部を経由して容器上部へ巻き上げるための充分な推進力が加えられればよく、揺動部材の一方向の揺動の後、その揺動部材が停止しても構わない。また、インク収容室４１１内のインクが減少して液面が下がっても、揺動部材５００の中空部５０４がインクに没している限り、上述したようなインクの撹拌効果を得ることができる。
【０１２９】
また、揺動部材５００が図３０（ａ），（ｆ），（ｈ）のように垂直に立っている状態から、図３０（ａ），（ｅ），（ｇ）のように倒れきるまでの揺動の角度は、キャリッジの移動条件や揺動部材５００の形態などを考慮して設定する必要がある。その揺動の角度が大きくて、例えば９０度に近かった場合には、揺動部材５００は、倒れきったまま揺動できなくなるおそれがある。したがって、キャリッジおよびインクタンク４の往復移動により、揺動部材５００が往復移動できるように、揺動部材５００の揺動の角度も考慮する必要がある。揺動部材を揺動させるためには、記録媒体への記録動作に伴うキャリッジの動きを利用してもよく、または、記録動作とは別に、インクタンク内のインクを撹拌するための攪拌動作に伴うキャリッジの動きを利用してもよい。記録装置は、そのような攪拌動作を実施するための撹拌モードを備えてもよい。この場合、記録ヘッドからのインクの吐出が停止した時間を記録装置側にてカウントし、そのカウントした時間がある一定時間を超えた場合に、記録装置が撹拌モードとなるようにしてもよい。その撹拌モードにおいては、インクタンクを搭載したキャリッジがＸ方向に移動される。キャリッジの移動幅や移動速度は、そのカウントした時間に応じて任意に設定することができる。また、記録装置による記録前など特定のタイミングを設定し、そのタイミングにて撹拌モードになっても構わない。
【０１３０】
（第５の実施形態）
次に、本発明の第５の実施形態について説明する。本実施形態における液体収納容器は、前述した図１から図３の記録装置に搭載可能なインクタンクとしての適用例である。
【０１３１】
（インクタンク全体の構成）
図３１は、本実施形態におけるインクタンク６の分解斜視図である。図３２は、図３１における揺動部材の設置状態を説明するための要部の斜視図である。インク容器筐体６０１は、例えばポリプロピレンで形成されており、その開口部は、蓋部材６０２によって封じられる。インク供給口６１０を形成するインク容器筐体６０１の部位には、押え部材６０５によって、メニスカス形成部材６０４が外側から押されて止められている。
【０１３２】
メニスカス形成部材６０４と、インク容器筐体６０１の内部および押さえ部材６０５の内部と、の間は、インク流路によって連通されている。これにより、インク容器筐体６０１内のインク収納室６１１から、記録ヘッドＨ１０００（図３参照）にインクが供給できるようになっている。メニスカス形成部材６０４内にインクによるメニスカスが形成されることにより、外部からの気泡がインク収納室６１１内に侵入しないようになっている。
【０１３３】
蓋部材６０２には、インク収納室６１１内に大気を流入させるための大気連通口６０６が形成されており、インク収納室６１１は、この大気連通口６０６以外の部分では外気と遮断されている。細管６０７は中空であり、その一端は大気連通口６０６に連通され、その他端は、インク収納室６１１内の重力方向下側の底部近傍においてインク収納室６１１内に開口する。このような構成により、インク収納室６１１内のインクの消費に伴って、細管６０７の他端からインク収納室６１１内に空気が流入する。このとき、インクの消費に伴うインク収納室６１１の減圧と、細管６０７内のインクのメニスカス力と、によって、インク収納室６１１内が負圧状態になる。
【０１３４】
本例における揺動部材５００は、下側開口部５０２、上側開口部５０３、および円筒形の中空部５０４が形成されている。下側開口部５０２の近傍の２箇所には、凹形状の支持部５０１が設けられている。前述した第４の実施形態と同様に、この支持部５０１が、インク収納室６１１の内壁に設けられた固定部材６０８の突起部６０９に嵌合することにより、図３２に示すように揺動可能に支持される。支持部５０１は、揺動部材５００が揺動する際の支点となる。
【０１３５】
（実験結果）
次に、本実施形態の効果を検証するために、本発明者らが実験した結果について説明する。
【０１３６】
本実験において用いたインクタンクにおいて、そのインク収納室は、揺動部材の揺動方向の内寸が３０ｍｍ、揺動方向と直交する方向の内寸が９０ｍｍ、高さ方向の内寸が６０ｍｍである。揺動部材は、厚さ０．５ｍｍのステンレス材料（比重約８．０）を円筒状に形成したものであり、その内径は１０ｍｍ、高さが２０ｍｍである。インク収納室内はインク（比重約１．０）で満たされており、そのインクの下層部は色材が沈降した状態であった。
【０１３７】
このようなインクタンクをインクジェット記録装置のキャリッジに設置し、そのキャリッジを移動距離２インチ、移動速度３６インチ／秒の速度で往復移動させた。その結果、前述した各実施形態と同様に、揺動部材が揺動することにより、インク収納室の底部に沈降していた色材は、揺動部材の中空部に案内されて、インクの下層部から上層部に向けて流れた。そして、キャリッジを１５往復させて、その慣性力により揺動部材を１５往復させることにより、インク収納室内のインク全体の色材が撹拌されることが分かった。
【０１３８】
このように本実施形態においても、揺動部材の揺動により、インク収納室のインクの下層部から上層部に向かってインクの流れを生じさせ、そのインクの流れにより、濃度の濃いインクと薄いインクとを対流させて攪拌することができる。つまり、揺動部材５００を動作させることにより、顔料成分の濃いインクを下層部から上層部にまで持ち上げて、インク収納室６１１全体のインクをまんべんなく効率的に撹拌することができる。この結果、カートリッジ形態のインクタンク（インクカートリッジ）の使用初期と使用後期において、記録画像に濃度差が生じることを防止し、また、複数のカラーインクを用いた場合におけるカラーバランスの崩れを防止することができる。
【０１３９】
ところで、インク容器筐体６０１のインク供給口６１０近傍は、その下部にメニスカス形成部材６０４を有することもあって、比較的複雑な形状となりやすい。そのため、インク収納室６１１内のインク供給口６１０近傍に位置するインクは、インク収納室６１１内の他の部位に位置するインクよりも撹拌され難い傾向がある。したがって、揺動部材５００は、図３２に示すようにインク供給口６１０に対向する位置に設置することが望ましい。
【０１４０】
（攪拌機構の構成の変形例）  
図３３は、インクの攪拌機構の変形例を説明するための分解斜視図である。図３４は、図３３における揺動部材の設置状態を説明するための要部の斜視図である。図３５は、図３３におけるインク容器筐体の横断面図である。
【０１４１】
本例の揺動部材５００は、図３５に示すように、断面が楕円形状の中空部５０４の２箇所に穴を貫通されており、その穴によって支持部５０１が形成されている。これらの支持部５０１には、その内径より小さい外径を有する支持軸５１５が通され、その後、その支持軸５１５の２箇所が互いに異なる方向に折り曲げられることによって、屈曲部５１６が形成される。揺動部材５００を貫通した状態の支持軸５１５の両端部は、インク容器筐体６０１の内部に設けられたガイド６２０を通して、インク容器筐体６０１の底部近辺にまで誘導される。そして図３４のように、支持軸５１５の両端部はガイド６２０の底部（下端部）にて支持される。支持軸５１５の両端部は、係合手段などによって、ガイド６２０の底部（下端部）に積極的に固定してもよい。
【０１４２】
揺動部材５００は、支持部５０１および支持軸５１５を支点として揺動することにより、前述した揺動部材５００と同様に、インク収納室６１１内のインクを下層部から上層部にまで持ち上げて効率よく攪拌することができる。
【０１４３】
（第６の実施例）
図３６は、本発明の第６の実施形態におけるインクタンク１の外観斜視図である。先述した実施形態と共通する部分については、同じ番号で示して説明を省略する。図３７は、そのインクタンク１の分解斜視図である。
【０１４４】
（攪拌機構の構成）
図３８は、揺動部材１００の設置状態を説明するための斜視図である。揺動部材１００の支持部１０１の両側は、インク容器筐体１０の内壁に形成された突起部４０に引っ掛けられ、これにより揺動部材１００は、ばね部材５０と接触しないように支持される。突起部４０は、揺動部材１００が回動する際の支点となる。揺動部材１００は、ステンレス材料によって形成されている。突起部４０の頭部は、揺動部材１００の支持部１０１が外れないように大径に形成されている。突起部４０は、揺動部材１００の回動支点となると共に、その突起部４０の軸線方向における揺動部材１００のスライドをも許容する。揺動部材１００には、インク容器筐体１０の重力方向の下側に位置する下側開口部１０２と、その上側に位置する上側開口部１０３と、が形成され、それらの開口部１０２，１０３の間に中空部１０４が形成される。このように揺動部材１００は、内部が中空部１０４となるように立体的に成形されている。
【０１４５】
このように本例の揺動部材１００は、上側開口部１０３の近辺に設けられた支持部１０１が突起部４０に支持される。そのため、揺動部材１００が回動した際には、上側開口部１０３よりも下側開口部１０２の変位量が大きくなる。
【０１４６】
本例のインクタンク４においては、揺動部材１００を動作させることにより、後述する第７の実施形態と同様に、中空部１０４を通して、顔料成分の薄いインクが上層部から下層部に向かって流れる。さらに、揺動部材１００の外壁とインク収納室８０の内壁との近接および離間変位によって、インクの流れが生じる。これらのインクの流れの組み合わせにより、インク収納室８０内のインク全体を撹拌することができる。
【０１４７】
（第７の実施形態）
図３９は、本発明の第７の実施形態におけるインクタンク４の分解斜視図である。本例におけるインクタンク４には、前述した第４の実施形態におけるインクタンク４と同様に、インクを直接的に収容するインク収納室４１１と、負圧発生部材を収容する負圧発生室４１２と、が形成されている。インク収納室４１１の内部には、インクを攪拌するための揺動部材５００が収容されている。図４０は、揺動部材５００の設置状態を説明するための斜視図、図４１は、その揺動部材５００の拡大斜視図である。
【０１４８】
本例の揺動部材５００は、インクタンク４の重力方向の下側に位置する下側開口部５０２と、その上側に位置する上側開口部５０３と、が形成されている。それらの開口部の間には、断面が楕円形の中空部５０４が形成されている。揺動部材５００は、インク収納室４１１内にインクが充填されることにより、その開口部５０２，５０３および中空部５０４がインクに没するようになっている。
【０１４９】
揺動部材５００における上側開口部５０３の近傍において、楕円形の長軸に当たる位置の２箇所には、凹状の支持部５０１が設けられている。支持部５０１の形状は、揺動部材５００を貫通する穴形状であってもよく、また、その位置は、本例のように楕円系の長軸に当たる位置でなくても構わない。
【０１５０】
蓋部材４０２には、インク収納室４１１に向けて延在する固定部材４０８が設けられている。図４０のように、固定部材４０８の下端部に設けられた突起部４０９が揺動部材５００の支持部５０１に嵌合することにより、揺動部材５００が揺動自在に支持される。突起部４０９は、揺動部材５００が回動する際の支点となる。本例においては、揺動部材５００の上側開口部５０３の近辺が支持部５０１に支持されるため、第６の実施形態と同様に、揺動部材５００が回動した際には、上側開口部５０３よりも下側開口部５０２の変位量が大きくなる。
【０１５１】
次に、図２９（ａ）から（ｄ）のような記録装置のキャリッジＭ４００１に本例のインクタンク４を搭載して、そのキャリッジを往復移動させたときの揺動部材４００の動作を図４２（ａ）から（ｅ）を用いて説明する。
【０１５２】
図４２（ａ）は、キャリッジＭ４００１が図２９（ａ）に示すホームポジションに静置されて、インク収納室４１１内の揺動部材５００が支持部５０１を支点として重力方向下方に垂れ下がる状態を示す。
【０１５３】
キャリッジＭ４００１が図２９（ａ）の位置から、（ｂ）のようにＸ２方向に動き出したとき、図４２（ｂ）に示すように、慣性力の働きにより揺動部材５００が矢印Ｓ１方向に揺動する。そして、その慣性力がインクの抵抗や重力の作用により揺動部材５００に働かなくなると、図４２（ｃ）に示すように、揺動部材５００は重力によってＳ２方向に向かって揺動する。
【０１５４】
そして、図２９（ｃ）の位置においてキャリッジの移動方向がＸ２方向からＸ１方向へ反転したときに、図４２（ｄ）に示すように、揺動部材５００に矢印Ｘ２方向の慣性力が働いて、その揺動部材５００が矢印Ｓ２方向に揺動する。そして揺動部材５００は、図４２（ｄ）に示すようにインク収納室４１１の内壁に接した後、その接したときの反力および重力の作用によってＳ１方向に戻される。そのように揺動部材５００がＳ１方向に戻されている間に、図２９（ａ）の位置においてキャリッジＭ４００１の移動方向がＸ２方向からＸ１方向へ反転すると、揺動部材５００には、さらに矢印Ｘ１方向に慣性力が働く。その慣性力により、揺動部材５００は、図４２（ｅ）に示すように矢印Ｓ１方向に揺動する。
【０１５５】
このように、キャリッジＭ４００１が図２９（ａ）から（ｄ）の移動を連続的に繰り返すことにより、揺動部材５００は図４２（ｄ）、（ｅ）の揺動を繰り返す。本例では、揺動部材が重力と反力によりＳ１方向に戻る間に、キャリッジが反転を繰り返すため、比較的小さい慣性力によって揺動部材を揺動させることができる。
【０１５６】
次に、図４２（ａ）から（ｅ）を用いて、インク収容室４１１の底部に沈降した顔料成分の濃いインクが撹拌される様子について説明する。
【０１５７】
揺動部材５００がＳ１方向に揺動し始めると、その回動により生じる遠心力によって、揺動部材５００の中空部５０４内に存在するインクは、図４２（ｂ）中の矢印Ｔ２のように、下側開口部５０２から放出される。それと同時に、上側開口部５０３の近傍の顔料成分の薄いインクは、矢印Ｔ１のように中空部１０４内に流入する。
【０１５８】
そして、揺動部材５００の揺動が繰り返されると、中空部５０４内のインクに作用する遠心力により、顔料成分の薄いインクは、図４２（ｄ）に示すように、上側開口部５０３から中空部５０４内に流入して、下側開口部５０２から矢印Ｔ２方向に放出される。また、図４２（ｄ），（ｅ）のように、揺動部材５００のＳ１方向およびＳ２方向の揺動が停止したときには、中空部５０４内のインクに慣性力が働いて、そのインクの流れがさらに加速される。
【０１５９】
顔料成分の薄いインクは、下側開口部５０２から放出された後、図４２（ｄ），（ｅ）中の矢印Ｔ３のように顔料成分の濃いインク中に拡散される。また、インク収納室４１１の内壁からの跳ね返りにより生じる流れＴ４によって、顔料成分の濃いインクがさらに撹拌される。また、図４２（ｂ）から図４２（ｅ）に示すように、揺動部材５００が揺動している間は、中空部５０４内に下向きのインクの流れが生じる。また、それと同時に、揺動部材５００の外壁とインク収納室４１１の内壁との相対的な近接および離間変位によって、インクの流れＴ５が生じる。これらの流れによって、インク収納室４１１内のインクはさらに撹拌される。
【０１６０】
このように、揺動部材５００を揺動させるための動作を１回もしくは複数回実施することにより、インク収納室４１１内のインクは、Ｔ１からＴ５のインクの流れにより、インク収納室４１１内のインク全体をまんべんなく撹拌することができる。すなわち、揺動部材の鉛直方向中央部よりも上側に揺動支点を位置させることにより、重力方向上方に位置する開口部から導入したインクを重力方向下方に位置する開口部から導出することができる。これにより、中空部を経由して、重力方向の上方から下方に向かってインクを案内して攪拌することができる。このような撹拌の効果は、揺動部材５００の内径、周囲長、表面積、長さ、比重、移動速度、移動距離、およびインクの粘度や接触角等のパラメータにより差が生じる。しかしながら、このようなパラメータは、顔料成分の薄いインクが揺動部材の中空部を経由して下方に流れるために充分な推進力が得られるのであれば、どのように設定してもよい。タンク内のインクに作用する遠心力、および慣性力によって、このような推進力が発生するように、揺動部材５００を揺動させることができればよい。
【０１６１】
（第８の実施形態）
図４３は、本発明の第８の実施形態におけるインクタンク６の分解斜視図である。図４４は、図４３における揺動部材５００の設置状態を説明するための要部の斜視図である。
【０１６２】
本例におけるインクタンク６には、前述した第５の実施形態におけるインクタンク６と同様に、インクを収容するインク収納室６１１が形成されている。また、本例における揺動部材５００には、前述した第７の実施形態における揺動部材５００と同様に、下側開口部５０２、上側開口部５０３、中空部５０４、および支持部５０１が形成されている。
【０１６３】
蓋部材６０２には、インク収納室６１１に向けて延在する固定部材６０８が設けられている。図４４のように、固定部材６０８の下端部に設けられた突起部６０９が揺動部材５００の支持部５０１に嵌合することにより、揺動部材５００が揺動自在に支持される。突起部６０９は、揺動部材５００が回動する際の支点となる。本例においては、揺動部材５００の上側開口部５０３の近辺が支持部５０１に支持されるため、前述した第６および第７の実施形態と同様に、揺動部材５００が回動した際には、上側開口部５０３よりも下側開口部５０２の変位量が大きくなる。
【０１６４】
インク容器筐体６０１のインク供給口６１０近傍は、その下部にメニスカス形成部材６０４を有することもあって、比較的複雑な形状となりやすい。そのため、インク収納室６１１内のインク供給口６１０近傍に位置するインクは、インク収納室６１１内の他の部位に位置するインクよりも撹拌され難い傾向がある。したがって、揺動部材５００は、図４４に示すようにインク供給口６１０に対向する位置に設置することが望ましい。
【０１６５】
本例のインクタンク６においても、第６および第７の実施形態と同様に、揺動部材５００を動作させることにより、中空部５０４を経由して、顔料成分の薄いインクをインクタンク内のインクの下層部に吹き下ろすことができる。さらに、揺動部材５００の外壁とインク収納室の内壁との近接および離間によって、インクの流れを生じさせることができる。このように揺動部材の内外に生じる２つの流れの組み合わせにより、インク収納室内部のインク全体を撹拌することができる。
【０１６６】
ところで、使用する顔料インク中の顔料の種類によっては、攪拌時のインクの流れによって、顔料がインク収納室の底部の角に溜まって凝集するおそれがある。このように顔料が凝集した場合に、インクの攪拌動作を行っても顔料が攪拌され難くなる。インク収納室の底部の角部に顔料を凝集させないためには、図４５に示すように、少なくともインク収納室６１１の底部の角に、インク収納室６１１の内部に向かって傾斜する平面状や円弧面状の面部２２０を形成することが望ましい。
【０１６７】
（第９の実施形態）
図４６は、本発明の第９の実施形態におけるインクタンク４の分解斜視図である。本例におけるインクタンク４には、前述した第４および第７の実施形態におけるインクタンク４と同様に、インクを直接的に収容するインク収納室４１１と、負圧発生部材を収容する負圧発生室４１２と、が形成されている。インク収納室４１１の内部には、インクを攪拌するための揺動部材５００が収容されている。図４７は、揺動部材５００の設置状態を説明するための斜視図、図４８は、インク容器本体４０１の横断面図である。
【０１６８】
本例の揺動部材５００は、図４８に示すように、断面が楕円形状の中空部５０４の２箇所に穴を貫通されており、その穴によって支持部５０１が形成されている。これらの支持部５０１には、その内径より小さい外径を有する支持軸１１６が通され、その後、その支持軸１１６の２箇所が互いに異なる方向に折り曲げられることによって、屈曲部１１１が形成される。揺動部材５００を貫通した状態の支持軸１１６の両端部は、インク容器筐体４０１の内部に設けられたガイド１１７を通して、インク容器筐体４０１の底部近辺にまで誘導される。そして図４７のように、支持軸１１６の両端部はガイド１１７の底部（下端部）にて支持される。支持軸１１６の両端部は、係合手段などによって、ガイド１１７の底部（下端部）に積極的に固定してもよい。
【０１６９】
本例のインクタンク４においても、第６から第８の実施形態と同様に、揺動部材５００を動作させることにより、中空部５０４を経由して、顔料成分の薄いインクをインクタンク内のインクの下層部に吹き下ろすことができる。さらに、揺動部材５００の外壁とインク収納室の内壁との近接および離間によって、インクの流れを生じさせることができる。このように揺動部材の内外に生じる２つの流れの組み合わせにより、インク収納室内部のインク全体を撹拌することができる。
【０１７０】
（第１０の実施形態）
図４９は、本発明の第１０の実施形態を説明するための図であり、前述した図２３のサブタンク３内に、図４０と同様の揺動部材５００を備えた構成となっている。
【０１７１】
サブタンク３内のインク９０は、フィルター１３０３およびインク流路１３０４を通して、記録ヘッドＨ１０００を構成する記録チップに供給され、その記録ヘッドＨ１０００の吐出口から吐出される。サブタンク３と、キャリッジＭ４００１の外に設置されるメインタンク１３１１と、の間には、チューブ１３０１が接続されている。メインタンク１３１１にはインク９０が収納されており、そのインク９０は、ポンプ１３０２によってサブタンク３へ供給される。したがって、メインタンク１３１１内のインク９０は、一旦、サブタンク３に入ってから、記録ヘッドＨ１０００に供給される。
【０１７２】
画像の記録に際しては、シリアルスキャンタイプの記録装置と同様に、記録ヘッドＨ１０００がキャリッジＭ４００１と共に主走査方向に移動しつつインクを吐出する動作と、記録媒体を副走査方向に搬送する動作と、を繰り返す。
【０１７３】
サブタンク３の上部には下方に延在する突起部４０８が設けられており、前述した図４０と同様に、その突起部４０８によって揺動部材５００の上側部分が揺動自在に支持されている。したがって、キャリッジＭ４００１の往復移動（Ｘ）に伴う慣性力によって、揺動部材５００を揺動（回動）させることができる。
【０１７４】
この結果、第６から第９の実施形態と同様に、揺動部材５００を動作させることにより、中空部５０４を経由して、顔料成分の薄いインクをインクタンク内のインクの下層部に吹き下ろすことができる。さらに、揺動部材５００の外壁とサブタンク３の内壁との近接および離間によって、インクの流れを生じさせることができる。このように揺動部材の内外に生じる２つの流れの組み合わせにより、サブタンク３内部のインク全体を撹拌することができる。
【０１７５】
（他の実施形態）
本発明の液体収納容器は、その内部に備えた揺動部材の中空部に、液体を攪拌するための液体の流れを容器底部から上部に向かって、または容器上部から底部に向かって積極的に生じさせることができればよい。その液体の流れの方向は、液体の収納空間の形状、液体の種類などに応じて最適に設定することができる。また、その液体の流れは、少なくとも２つの開口部（第１開口部および第２開口部）と、その間の中空部を通して生じればよい。
【０１７６】
したがって、揺動部材における中空部および開口部の位置、形状、および数などは任意である。
【０１７７】
また、揺動部材の中空部を通る液体の流れを生じさせるための流動手段の構成も任意であり、前述したように揺動部材の移動を伴う構成のみに特定されない。例えば、揺動部材を固定してもよい。この場合には、揺動部材を動かす代わりに、前述した図１６の実施形態のようにインクタンクの外部からインクの流れＺを導入し、その流れＺによって、少なくとも揺動部材における２つの開口部付近の液体に圧力差を生じさせてもよい。また、揺動部材を移動可能とする場合、その移動形態は特に限定されず、特定の支点を中心として揺動可能（回動可能）に備える他、所定の軌跡に沿って往復移動可能に備えたり、あるいは液体収納容器の特定の面に沿って自由に移動する構成としてもよい。要は、揺動部材の移動を伴って、その中空部に、容器底部から上部へ向かう液体の流れ、あるいは容器上部から底部へ向かう液体の流れが生じればよい。
【０１７８】
液体の流れを生じさせるための流動手段は、開口部と液体とを相対移動させたときに、ベルヌーイの定理により開口部付近に生じる液体の負圧を利用する他、液体の遠心力や慣性力などを利用することができる。すなわち、揺動部材の揺動に伴う中空部内の液体の遠心力を利用したり、揺動部材の移動停止時における中空部の内または外の液体の慣性力などを利用することができる。また、前述した図１６の実施形態のようにインクの流れＺを導入する他、外部から機械的な運動エネルギや磁気エネルギなどを導入し、それらを駆動力として揺動部材を移動させてもよい。
【０１７９】
揺動部材の中空部内における液体の流れと、揺動部材の動きによって液体が機械的に攪拌されるときの液体の動きと、を組み合わせることにより、より効率よく液体を攪拌することができる。
【０１８０】
前述した実施形態においては、本発明における液体収納容器の適用例として、いわゆるシリアルスキャンタイプのインクジェット記録装置に搭載可能なインクタンクを示した。しかしながら、本発明はインクタンクのみに適応されるものではない。例えば、液体を案内する中空部を備えた揺動部材を有する液体収納容器を載置台に搭載し、その載置台を往復移動させることにより、揺動部材を揺動させて液体を撹拌する構成にも適用可能である。また、液体収納容器の移動は往復移動のみに限定されず、例えば、ある方向に移動した後、一旦停止してから再度同一方向に移動させることによっても、揺動部材を揺動させて液体を撹拌することが可能である。
【図面の簡単な説明】
【０１８１】
【図１】本発明の第１の実施形態における記録装置の外観斜視図である。
【図２】その記録装置の内部機構を説明するための斜視図である。
【図３】その記録装置のキャリッジに搭載可能な記録ヘッドカートリッジとインクタンクの斜視図である。
【図４】本発明の第１の実施形態におけるインクタンクの斜視図である。
【図５】そのインクタンクの分解斜視図である。
【図６】そのインクタンクにおける揺動部材の設置状態の説明斜視図である。
【図７】その揺動部材の拡大斜視図である。
【図８】（ａ）は、キャリッジがＸ２方向からＸ１方向に反転する時における、その揺動部材の動作の説明図、（ｂ）は、キャリッジがＸ１方向からＸ２方向に反転する時における、その揺動部材の動作の説明図、（ｃ）は、その揺動部材の動作の説明図である。
【図９】本発明の第１実施形態における揺動部材の変形例として、開口部と中空部が円形状の揺動部材の斜視図である。
【図１０】本発明の第１実施形態における揺動部材の他の変形例として、第３の開口部を設けた揺動部材の斜視図である。
【図１１】本発明の第１実施形態における揺動部材のさらに他の変形例として、共通の支持シャフトを設けた揺動部材の斜視図である。
【図１２】本発明の第１の実施形態における揺動部材のさらに他の変形例として、中空部が屈曲した揺動部材の斜視図である。
【図１３】本発明の第１実施形態における揺動部材のさらに他の変形例として、柔軟性の揺動部材の説明するためのインクタンクの断面図である。
【図１４】本発明の第１の実施形態における揺動部材のさらに他の変形例として、１つに構成された揺動部材の斜視図である。
【図１５】本発明の第１の実施形態における揺動部材のさらに他の変形例として、中空部に複数の開口部を設けた揺動部材の斜視図である。
【図１６】（ａ）は、第１の実施形態における揺動部材のさらに他の変形として、インク受部付きの揺動部材を説明するためのインクタンクの断面図、（ｂ）は、その揺動部材にインク流が衝突する状況の説明図である。
【図１７】本発明の第２の実施形態におけるインクタンクの分解斜視図である。
【図１８】その揺動部材の設置状態を説明するための要部の斜視図である。
【図１９】その揺動部材の拡大斜視図である。
【図２０】（ａ）は、キャリッジがＸ２からＸ１方向に反転した時における、その揺動部材の動作の説明図、（ｂ）は、キャリッジがＸ１からＸ２方向に反転した時における、その揺動部材の動作の説明図、（ｃ）は、その揺動部材の動作の説明図である。
【図２１】（ａ）は、その揺動部材がインクに没しているときのインクタンクの断面図、（ｂ）は、その揺動部材の開口部の一部がインクに没しているときのインクタンクの断面図、（ｃ）は、インク量が減少した場合に、その揺動部材の開口部の一部がインクに没しているときのインクタンクの断面図である。
【図２２】第２の実施形態における揺動部材の変形例として、開口部が斜めの揺動部材を説明するためのインクタンクの断面図である。
【図２３】本発明の第３の実施形態における記録装置の概略構成図である。
【図２４】図２３におけるヘッドカートリッジの断面図である。
【図２５】本発明の第４の実施形態におけるインクタンクの斜視図である。
【図２６】そのインクタンクの分解斜視図である。
【図２７】そのインクタンクの内部の斜視図である。
【図２８】図２７における揺動部材の拡大斜視図である。
【図２９】（ａ）は、図２３におけるキャリッジがホームポジションに位置するときの状況の説明図、（ｂ）は、そのキャリッジがＸ２方向に移動するときの状況の説明図、（ｃ）は、そのキャリッジが必要距離移動したときの状況の説明図、（ｄ）は、そのキャリッジがＸ１方向に移動するときの状況の説明図である。
【図３０】（ａ）は、そのキャリッジがホームポジションに位置するときの揺動部材の説明図、（ｂ）は、その揺動部材の上側開口部からインクが流出するときの状況の説明図、（ｃ）は、その揺動部材が一方向に移動して、インク流が加速するときの状況の説明図、（ｄ）は、その揺動部材が一方向に移動するときの状況の説明図、（ｅ）は、その揺動部材の一方向の移動が停止したときの状況の説明図、（ｆ）は、キャリッジが移動して顔料成分が拡散されるときの状況の説明図、（ｇ）は、その揺動部材によるインクの撹拌状況の説明図、（ｈ）は、その揺動部材によるインクの撹拌状況の説明図である。
【図３１】本発明の第５の実施形態におけるインクタンクの分解斜視図である。
【図３２】図２におけるインクタンクの内部の斜視図である。
【図３３】そのインクタンクの変形例を説明するための分解斜視図である。
【図３４】そのインクタンクの内部の斜視図である。
【図３５】そのインクタンクの断面図である。
【図３６】本発明の第６の実施形態におけるインクタンクの斜視図である。
【図３７】そのインクタンクの分解斜視図である。
【図３８】そのインクタンクの内部の斜視図である。
【図３９】本発明の第７の実施形態におけるインクタンクの分解斜視図である。
【図４０】そのインクタンクの内部の斜視図である。
【図４１】そのインクタンク内の揺動部材の拡大斜視図である。
【図４２】（ａ）は、そのインクタンクの断面図、（ｂ）は、そのインクタンク内の揺動部材が一方向に移動するときの状況の説明図、（ｃ）は、そのインクタンク内の揺動部材が他方向に移動するときの状況の説明図、（ｄ）は、そのインクタンク内の揺動部材が他方向に移動するときの状況の説明図、（ｅ）は、そのインクタンク内の揺動部材が一方向に移動するときの状況の説明図である。
【図４３】本発明の第８の実施形態におけるインクタンクの分解斜視図である。
【図４４】そのインクタンクの内部の斜視図である。
【図４５】そのインクタンクの変形例の内部の斜視図である。
【図４６】本発明の第９の実施形態におけるインクタンクの分解斜視図である。
【図４７】そのインクタンクの内部の斜視図である。
【図４８】そのインクタンク断面図である。
【図４９】本発明の第１０実施形態におけるヘッドカートリッジの要部の断面図である。
【符号の説明】
【０１８２】
１、２、３、４、６    液体収納容器
１０、１１０、４０１、６０１    容器筐体
４０、１４０    突起部（支持部）
８０、９０、１８０、４１１．    インク収納室
１００、３００、５００    攪拌部材
１０１、３０１、５０１    支持部（支持部）
１０２、１１２、３０２、５０２    下側開口部
１０３、１１３、３０３、５０３    上側開口部
１０４、１１４、３０４、５０４    中空部
【図１】
2007326360.tif 000005
【図２】
2007326360.tif 000006
【図３】
2007326360.tif 000007
【図４】
2007326360.tif 000008
【図５】
2007326360.tif 000009
【図６】
2007326360.tif 000010
【図７】
2007326360.tif 000011
【図８】
2007326360.tif 000012
【図９】
2007326360.tif 000013
【図１０】
2007326360.tif 000014
【図１１】
2007326360.tif 000015
【図１２】
2007326360.tif 000016
【図１３】
2007326360.tif 000017
【図１４】
2007326360.tif 000018
【図１５】
2007326360.tif 000019
【図１６】
2007326360.tif 000020
【図１７】
2007326360.tif 000021
【図１８】
2007326360.tif 000022
【図１９】
2007326360.tif 000023
【図２０】
2007326360.tif 000024
【図２１】
2007326360.tif 000025
【図２２】
2007326360.tif 000026
【図２３】
2007326360.tif 000027
【図２４】
2007326360.tif 000028
【図２５】
2007326360.tif 000029
【図２６】
2007326360.tif 000030
【図２７】
2007326360.tif 000031
【図２８】
2007326360.tif 000032
【図２９】
2007326360.tif 000033
【図３０】
2007326360.tif 000034
【図３１】
2007326360.tif 000035
【図３２】
2007326360.tif 000036
【図３３】
2007326360.tif 000037
【図３４】
2007326360.tif 000038
【図３５】
2007326360.tif 000039
【図３６】
2007326360.tif 000040
【図３７】
2007326360.tif 000041
【図３８】
2007326360.tif 000042
【図３９】
2007326360.tif 000043
【図４０】
2007326360.tif 000044
【図４１】
2007326360.tif 000045
【図４２】
2007326360.tif 000046
【図４３】
2007326360.tif 000047
【図４４】
2007326360.tif 000048
【図４５】
2007326360.tif 000049
【図４６】
2007326360.tif 000050
【図４７】
2007326360.tif 000051
【図４８】
2007326360.tif 000052
【図４９】
2007326360.tif 000053